(57)【要約】  撮影の際に光源の点灯、消灯を適切に制御して、光源が点灯した場合に確実に携帯端末のカメラで撮影することができる携帯型撮影装置を提供する。  カメラ２を備えたスマートフォン１と、波長が異なる２種類のＬＥＤ１２,１３、コンバージョンレンズ１１、光源制御手段１６を有するレンズモジュール１０とを備え、スマートフォン１は、ＬＥＤ１２,１３のそれぞれの点灯および消灯を検出する点消灯検出手段３ａと、カメラ２による撮影を制御する撮影制御手段３ｂと、カメラ２で撮影された撮影画像をＬＥＤ１２,１３と関連付けてスマートフォン１の画面に表示させる表示制御手段３ｃとを備えているので、撮影の際にＬＥＤ１２,１３の点灯、消灯を適切に制御して、ＬＥＤ１２,１３が点灯した場合に確実にスマートフォン１のカメラ２で肌を撮影することができる。
2014103954.tif 000002
【特許請求の範囲】
【請求項１】
カメラを備えた携帯端末に着脱可能に取り付けられるレンズモジュールであって、
被写体に光を照射する波長が異なる複数種類の光源と、
前記光源からの光が前記被写体で反射した反射光を前記カメラに集光するコンバージョンレンズと、
前記複数種類の光源の点灯および消灯をそれぞれ制御する光源制御手段とを備えたことを特徴とするレンズモジュール。
【請求項２】
カメラを備えた携帯端末と、請求項１に記載のレンズモジュールとを備え、
前記携帯端末は、前記複数種類の光源のそれぞれの点灯および消灯を検出する点消灯検出手段と、この点消灯検出手段によってそれぞれの前記光源の点灯および消灯が検出された際に、前記カメラによる撮影を制御する撮影制御手段と、この撮影制御手段による制御によって前記カメラで撮影された撮影画像を前記光源の種類と関連付けて前記携帯端末の画面に表示させる表示制御手段とを備えていることを特徴とする携帯型撮影装置。
【請求項３】
前記表示制御手段は、前記カメラによって撮影された撮影画像を、その波長成分によって光源と関連付けて前記携帯端末の画面に表示させることを特徴とする請求項２に記載の携帯型撮影装置。
【請求項４】
前記レンズモジュールの前記光源制御手段は、複数種類の前記光源を順次所定時間点灯させるとともに、複数種類の全ての光源の点灯後、全光源を所定時間消灯させる制御を繰り返し行い、
前記点消灯検出手段が全光源の消灯を検出した後、最初の前記光源の点灯を検出した場合に、前記撮影制御手段が前記カメラを撮影制御し、
その後は、前記撮影制御手段が、前記複数種類の光源の点灯に同期するように、所定時間間隔で前記カメラを撮影制御することを特徴とする請求項２に記載の携帯型撮影装置。
【請求項５】
前記レンズモジュールの前記光源制御手段は、複数種類の前記光源の点灯と消灯を所定時間ごとに順次繰り返して行う制御を行い、
前記点消灯検出手段は、前記各光源による光の波長を検出することによって、どの光源が点灯しているかを検出し、
前記点消灯検出手段が、前記各光源の点灯をそれぞれ検出した場合に、前記撮影制御手段が前記カメラを撮影制御することを特徴とする請求項２に記載の携帯型撮影装置。
【請求項６】
前記レンズモジュールの前記光源制御手段は、複数種類の前記光源を順次所定時間点灯させるとともに、複数種類の全ての光源の点灯後、全光源を所定時間消灯させる制御を繰り返し行い、
前記点消灯検出手段が全光源の消灯を検出した後、最初の前記光源の点灯が波長によってどの光源の点灯であるかを検出した場合に、前記撮影制御手段が前記カメラを撮影制御し、
次に、前記点消灯検出手段が全光源の消灯を検出した後、次の前記光源の点灯が波長によってどの光源の点灯であるかを検出した場合に、前記撮影制御手段が前記カメラを撮影制御する工程を順次繰り返して行うことを特徴とする請求項２に記載の携帯型撮影装置。
【請求項７】
前記携帯端末からの光源点灯指示信号および光源消灯指示信号を受信するとともに、前記携帯端末に光源点灯報知信号および光源消灯報知信号を送信する送受信手段を備え、
前記光源制御手段は、前記光源点灯指示信号を受信した場合に前記光源を点灯させるとともに、前記送受信手段に光源点灯報知信号を前記携帯端末に向けて送信させ、前記光源消灯指示信号を受信した場合に前記光源を消灯させるとともに、前記送受信手段に光源消灯報知信号を前記携帯端末に向けて送信させることを特徴とする請求項１に記載のレンズモジュール。
【請求項８】
カメラを備えた携帯端末と、請求項７に記載のレンズモジュールとを備え、
前記携帯端末は、前記レンズモジュールの送受信手段からの光源点灯報知信号および光源消灯報知信号を受信するとともに、前記レンズモジュールに光源点灯指示信号および光源消灯指示信号を送信する端末側送受信手段と、制御手段と、表示制御手段とを備え、
前記制御手段は、前記レンズモジュールから光源点灯報知信号を前記送受信手段および端末側送受信手段を介して受信した場合に、前記カメラに撮影を行わせ、当該カメラによる撮影が終了した場合に、光源消灯指示信号を前記端末側送受信手段および送受信手段を介して前記レンズモジュールに向けて送信し、前記レンズモジュールから光源消灯報知信号を前記送受信手段および端末側送受信手段を介して受信した場合に、光源点灯指示信号を前記端末側送受信手段および送受信手段を介して前記レンズモジュールに向けて送信し、
前記表示制御手段は、前記カメラによって撮影された撮影画像を前記光源の種類と関連付けて前記携帯端末の画面に表示させることを特徴とする携帯型撮影装置。
【発明の詳細な説明】
【技術分野】
【０００１】
本発明は、カメラを備えた携帯端末に着脱可能に取り付けられるレンズモジュールおよびこのレンズモジュールと前記携帯端末とを備えた携帯型撮影装置に関する。
【背景技術】
【０００２】
従来、カメラ付き携帯電話（スマートフォンを含む）や、カメラ付きタブレット型電子機器等の携帯型のカメラ付き電子機器に、取り付けられるコンバージョンレンズが知られている（例えば、特許文献１参照）。
コンバージョンレンズを電子機器の側のレンズ（マスターレンズ）に取り付けることにより、携帯型電子機器のカメラのレンズが単焦点レンズであっても、焦点距離を広角側や望遠側に変えることができる。また、コンバージョンレンズとして接写機能（マクロ撮影機能）を有するレンズを用い、マクロ撮影を可能にする場合もある。【０００３】
また、顔の肌を拡大撮影して肌の状態を分析するための肌用カメラが知られているが、例えば、携帯電話のカメラに肌用カメラとしての機能、例えば、被写体を拡大して接写する機能を付加するコンバージョンレンズも知られている。この場合に、例えば、撮影した肌の画像をメール等で肌の画像の分析を行う会社に送ることにより、肌の分析結果をメールで送り返してもらうようなことが容易に可能になる。
【先行技術文献】
【特許文献】
【０００４】
【特許文献１】特開２０１２−８２８３号公報
【発明の概要】
【発明が解決しようとする課題】
【０００５】
ところで、肌の撮影機能を携帯電話に持たせるコンバージョンレンズは、肌に近づけて肌を接写（マクロ撮影）するようになっている。また、携帯電話やスマートフォンでは、カメラの撮影の際の照明としてＬＥＤを光源とするフラッシュ装置を有する場合が多い。
このフラッシュ装置に用いられるＬＥＤは、一般的にカメラから１ｍ程度の距離にある被写体を適度な光量で照らすように設定されている。【０００６】
したがって、このフラッシュ装置を用い、コンバージョンレンズによる接写を行った場合に、フラッシュ装置のＬＥＤが被写体に近すぎることになり、被写体としての肌が均等に照明されなかったり、照明が明るすぎて撮影した画像に白とびが生じたりする虞がある。フラッシュ装置を使用せずに外光や屋内の照明の光で肌を撮影することも考えられるが、状況によって照明の状態が大きく変わってしまう可能性がある。【０００７】
これらの問題からコンバージョンレンズにマクロ撮影に適したフラッシュ装置を設けることが考えられる。この場合に、フラッシュ装置の光源になるＬＥＤの電源として電池を内蔵させるとともに電源スイッチを設け、撮影操作の開始時にユーザーがフラッシュ装置の電源スイッチをオンにして発光させ、撮影操作の終了時にユーザーが電源スイッチをオフにして消灯することになる。
このような方法でフラッシュ装置を使用すると、フラッシュ装置が瞬間的に発光するのではなく、比較的長い間、フラッシュ装置がオンのままになり、一般的なフラッシュ装置のように一瞬だけ点灯する場合に比較して使用電力が大きくなり、大容量の大型の電池が必要になるか、電池の交換時期が早まることになる。【０００８】
また、肌の状態を撮影する場合、表面反射光を主に用いて皮膚表面の形状を捉えるための照明モード（きめモード）における撮影と、表面反射光を除去して皮膚内部の状態を捉えるための照明モード（しみモード）における撮影との２種類の撮影を行う必要がある。【０００９】
本発明は、前記事情に鑑みてなされたもので、カメラを備えた携帯端末に取り付けられて、肌等の被写体を撮影する際に、複数種類の撮影を行えるとともに、撮影の際に光源の点灯、消灯を適切に制御することができるレンズモジュールおよび光源が点灯した場合に確実に携帯端末のカメラで撮影することができる携帯型撮影装置を提供することを目的とする。
【課題を解決するための手段】
【００１０】
前記目的を達成するために、本発明の請求項１のレンズモジュールは、カメラを備えた携帯端末に着脱可能に取り付けられるレンズモジュールであって、
被写体に光を照射する波長が異なる複数種類の光源と、
前記光源からの光が前記被写体で反射した反射光を前記カメラに集光するコンバージョンレンズと、
前記複数種類の光源の点灯および消灯をそれぞれ制御する光源制御手段とを備えたことを特徴とする。【００１１】
本発明においては、肌等の被写体に光を照射する波長が異なる複数種類の光源を有するので、容易に複数種類の撮影を行えるとともに、光源制御手段によって複数種類の光源の点灯および消灯を制御することによって、撮影の際に光源の点灯、消灯を適切に制御することができる。【００１２】
また、本発明の携帯型撮影装置は、カメラを備えた携帯端末と、請求項１に記載のレンズモジュールとを備え、
前記携帯端末は、前記複数種類の光源のそれぞれの点灯および消灯を検出する点消灯検出手段と、この点消灯検出手段によってそれぞれの前記光源の点灯および消灯が検出された際に、前記カメラによる撮影を制御する撮影制御手段と、この撮影制御手段による制御によって前記カメラで撮影された撮影画像を前記光源の種類と関連付けて前記携帯端末の画面に表示させる表示制御手段とを備えていることを特徴とする。【００１３】
本発明においては、点消灯検出手段によって、複数種類の光源のそれぞれの点灯が検出された際に、撮影制御手段がカメラに撮影させることができ、複数種類の光源のそれぞれの消灯が検出されるまで、撮影制御手段がカメラの撮影を待機させることができるので、確実にカメラで複数種類の光源による被写体を撮影できる。
また、前記表示制御手段によって、カメラで撮影された撮影画像を光源の種類と関連付けて携帯端末の画面に表示させるので、ユーザーは画面に表示された撮影画像の種類を容易に確認できる。【００１４】
また、本発明の前記構成において、前記表示制御手段は、前記カメラによって撮影された撮影画像を、その波長成分によって光源と関連付けて前記携帯端末の画面に表示させてもよい。【００１５】
このような構成によれば、撮影画像を、その波長成分によって光源と関連付けて画面に表示するので、カメラで撮影する際に、撮影画像を光源の種類と関連付けなくてもよい。したがって、光源の規定値からのずれの許容値を大きくし、光源の価格を下げることができるという利点がある。
つまり、レンズモジュールに搭載するＬＥＤ等の光源は、例えばきめ撮影用、しみ撮影用の光源ともに、規定値よりずれの少ない光源を搭載する必要がある。しかし、実際には、光源の波長はばらつくため、規定値に近い波長の光源を選別して使用している。このため、ＬＥＤ等の光源は、価格が高くなるが、前記構成によれば、光源の規定値からのずれの許容値を大きくし、光源の価格を下げることができる。【００１６】
また、本発明の前記構成において、前記レンズモジュールの前記光源制御手段は、複数種類の前記光源を順次所定時間点灯させるとともに、複数種類の全ての光源の点灯後、全光源を所定時間消灯させる制御を繰り返し行い、
前記点消灯検出手段が全光源の消灯を検出した後、最初の前記光源の点灯を検出した場合に、前記撮影制御手段が前記カメラを撮影制御し、
その後は、前記撮影制御手段が、前記複数種類の光源の点灯に同期させて、所定時間間隔で前記カメラを撮影制御してもよい。【００１７】
このような構成によれば、光源制御手段が複数種類の光源を順次所定時間点灯させるとともに、複数種類の全ての光源の点灯後、全光源を所定時間消灯させる制御を繰り返し行っている場合に、点消灯検出手段が全光源の消灯を検出した後、最初の光源の点灯を検出した場合に、撮影制御手段がカメラを撮影制御し、その後は、撮影制御手段が、前記複数種類の光源の点灯に同期するように、所定時間間隔で前記カメラを撮影制御するので、確実に携帯端末のカメラで複数種類の光源による撮影を行うことができるとともに、点消灯検出手段が全光源の消灯と、この消灯後の最初の光源の点灯を検出するだけで、複数種類の光源による撮影を行えるという利点がある。【００１８】
また、本発明の前記構成において、前記レンズモジュールの前記光源制御手段は、複数種類の前記光源の点灯と消灯を所定時間ごとに順次繰り返して行う制御を行い、
前記点消灯検出手段は、前記各光源による光の波長を検出することによって、どの光源が点灯しているかを検出し、
前記点消灯検出手段が、前記各光源の点灯をそれぞれ検出した場合に、前記撮影制御手段が前記カメラを撮影制御するようにしてもよい。
なお、カメラを撮影制御するとは、撮影制御手段がカメラのシャッターを切ることを意味する。【００１９】
このような構成によれば光源制御手段が、複数種類の光源の点灯と消灯を所定時間ごとに順次繰り返して行う制御を行っている場合に、点消灯検出手段が、各光源による光の波長を検出することによって、どの光源が点灯しているかを検出した場合に、撮影制御手段がカメラを撮影制御するので、確実に携帯端末のカメラで複数種類の光源による撮影を行うことができる。【００２０】
また、本発明の前記構成において、前記レンズモジュールの前記光源制御手段は、複数種類の前記光源を順次所定時間点灯させるとともに、複数種類の全ての光源の点灯後、全光源を所定時間消灯させる制御を繰り返し行い、
前記点消灯検出手段が全光源の消灯を検出した後、最初の前記光源の点灯が波長によってどの光源の点灯であるかを検出した場合に、前記撮影制御手段が前記カメラを撮影制御し、
次に、前記点消灯検出手段が全光源の消灯を検出した後、次の前記光源の点灯が波長によってどの光源の点灯であるかを検出した場合に、前記撮影制御手段が前記カメラを撮影制御する工程を順次繰り返して行うようにしてもよい。【００２１】
このような構成によれば、光源制御手段が複数種類の光源を順次所定時間点灯させるとともに、複数種類の全ての光源の点灯後、全光源を所定時間消灯させる制御を繰り返し行っている場合に、点消灯検出手段が全光源の消灯を検出した後、最初の光源の点灯が波長によってどの光源の点灯であるかを検出した場合に、撮影制御手段が前記カメラを撮影制御し、次に、点消灯検出手段が全光源の消灯を検出した後、次の光源の点灯が波長によってどの光源の点灯であるかを検出した場合に、撮影制御手段が前記カメラを撮影制御する工程を順次繰り返して行うので、確実に携帯端末のカメラで複数種類の光源による撮影を行うことができるとともに、各光源による撮影を適切なタイミングで行える。【００２２】
また、本発明のレンズモジュールは、請求項１に記載のレンズモジュールにおいて、前記携帯端末からの光源点灯指示信号および光源消灯指示信号を受信するとともに、前記携帯端末に光源点灯報知信号および光源消灯報知信号を送信する送受信手段を備え、
前記光源制御手段は、前記光源点灯指示信号を受信した場合に前記光源を点灯させるとともに、前記送受信手段に光源点灯報知信号を前記携帯端末に向けて送信させ、前記光源消灯指示信号を受信した場合に前記光源を消灯させるとともに、前記送受信手段に光源消灯報知信号を前記携帯端末に向けて送信させてもよい。【００２３】
このような構成によれば、光源制御手段は、携帯端末から光源点灯指示信号を受信した場合に光源を点灯させるとともに、送受信手段に光源点灯報知信号を前記携帯端末に送信させるので、光源の点灯をカメラによる撮影に応じて適切なタイミングで行える。
また、光源制御手段は、光源消灯指示信号を受信した場合に光源を消灯させるとともに、送受信手段に光源消灯報知信号を前記携帯端末に送信させるので、光源の消灯をカメラの撮影の終了に応じて適切なタイミングで行える。【００２４】
また、本発明の携帯型撮影装置は、カメラを備えた携帯端末と、請求項７に記載のレンズモジュールとを備え、
前記携帯端末は、前記レンズモジュールの送受信手段からの光源点灯報知信号および光源消灯報知信号を受信するとともに、前記レンズモジュールに光源点灯指示信号および光源消灯指示信号を送信する端末側送受信手段と、制御手段と、表示制御手段とを備え、
前記制御手段は、前記レンズモジュールから光源点灯報知信号を前記送受信手段および端末側送受信手段を介して受信した場合に、前記カメラに撮影を行わせ、当該カメラによる撮影が終了した場合に、光源消灯指示信号を前記端末側送受信手段および送受信手段を介して前記レンズモジュールに向けて送信し、前記レンズモジュールから光源消灯報知信号を前記送受信手段および端末側送受信手段を介して受信した場合に、光源点灯指示信号を前記端末側送受信手段および送受信手段を介して前記レンズモジュールに向けて送信し、
前記表示制御手段は、前記カメラによって撮影された撮影画像を前記光源の種類と関連付けて前記携帯端末の画面に表示させることを特徴とする。【００２５】
本発明によれば、携帯端末の制御手段が、レンズモジュールからの光源点灯報知信号を送受信手段および端末側送受信手段を介して受信した場合に、カメラに撮影を行わせるので、確実にカメラで被写体を撮影できる。
また、カメラによる撮影後は、光源消灯指示信号をレンズモジュールに携帯端末送受信および送受信手段を介して送信するので、確実に光源を消灯でき、電池の消耗を防止できる。
また、表示制御手段によって、カメラで撮影された撮影画像を光源の種類と関連付けて携帯端末の画面に表示させるので、ユーザーは画面に表示された撮影画像の種類を容易に確認できる。
【発明の効果】
【００２６】
本発明のレンズモジュールによれば、肌等の被写体を撮影する際に、複数種類の撮影を行えるとともに、撮影の際に光源の点灯、消灯を適切に制御することができる。また本発明の携帯型撮影装置によれば、光源が点灯した場合に確実に携帯端末のカメラで撮影することができる。
【図面の簡単な説明】
【００２７】
【図１】本発明の第１実施形態に係る携帯型撮影装置を示すもので、その正面図である。
【図２】同、レンズモジュールを示す正面図である。
【図３】同、レンズモジュールを示す断面図である。
【図４】同、レンズモジュールのレンズ筐体部分を示す断面図である。
【図５】同、レンズモジュールのレンズ筐体部分を示す断面図である。
【図６】同、レンズモジュールのＬＥＤ基板を示す平面図である。
【図７Ａ】同、ブロック図である。
【図７Ｂ】同、スマートフォンの正面図であり、（ａ）は撮影ボタンを画面の上端部に配置したものを示し、（ｂ）は撮影ボタンを画面の上端部略右半分に配置したものを示す。
【図８】本発明の第１の実施の形態の携帯型撮影装置によって人の顔の肌を撮影する方法の例を説明するもので、第１例を示すフローチャートである。
【図９】同、第２例を示すフローチャートである。
【図１０】同、第３例を示すフローチャートである。
【図１１】同、第４例を示すフローチャートである。
【図１２】同、第５例を示すフローチャートである。
【図１３】同、第６例を示すフローチャートである。
【図１４】同、第７例を示すもので、肌レンズ側の処理を示すフローチャートである。
【図１５】同、第７例を示すもので、スマートフォン側の処理を示すフローチャートである。
【図１６】同、第８例を示すもので、スマートフォン側の処理を示すフローチャートである。
【図１７】本発明の第２の実施の形態に係る携帯型撮影装置を示すブロック図である。
【図１８】本発明の第２の実施の形態の携帯型撮影装置によって人の顔の肌を撮影する方法の例を示すフローチャートである。
【発明を実施するための形態】
【００２８】
以下、本発明の実施の形態を図面を参照して説明する。
（第１の実施の形態）
この実施の形態の携帯型撮影装置は、図１〜図７Ｂに示すように、デジタルカメラ（撮像素子を備える図２に示すカメラ２）を備えた携帯型電子機器（携帯端末）としてのスマートフォン１（図１および図７Ａに図示）と、スマートフォン１のカメラ２に装着されて肌２４（図７Ａに図示）を拡大して接写するための２枚のレンズ１１ａ，１１ｂ（図３〜図５、図７Ａに図示）からなるコンバージョンレンズ１１および撮影の照明用のＬＥＤ１２，１３（図３〜図７Ａに図示）を備えたレンズモジュール１０とからなるものである。
【００２９】
なお、図１、図２において、レンズモジュール１０は、コンバージョンレンズ１１を支持するバレル２０ａ（図３〜図５に図示）を備える後述のレンズ筐体２０の部分を除いた筐体１０ａの前面部分を図示せずに内部の電池１７、電源スイッチ１９、電子回路部１６ａが実装される回路基板１６ｂが見える状態で図示している。
【００３０】
レンズモジュール１０は、筐体１０ａを備え、筐体１０ａは、レンズ筐体２０を除いて、扁平な箱状に形成され、スマートフォン１のディスプレイ（図示略）が設けられた正面の反対側である背面のカメラ２のレンズ部分にコンバージョンレンズ１１を重ね合わせるように配置される。
【００３１】
この筐体１０ａのスマートフォン１への固定は、例えば、クリップ式やバンド式で行われる。クリップ式は、例えば、レンズモジュール１０に、レンズモジュール１０との間にスマートフォン１を挟み込むクリップ部材（図示略）を設けたものである。すなわち、レンズモジュール１０と、このレンズモジュール１０に固定されたクリップ部材との間に弾性力によりスマートフォン１を挟むものである。
【００３２】
この場合に、レンズモジュール１０をスマートフォン１の背面に対して、許容範囲内で縦横に移動可能になっており、スマートフォン１の各機種のカメラ２の配置に対応可能になっている。
バンド式は、例えば、腕時計のバンドのように、レンズモジュールにゴムバンド等の伸び縮みするバンド（図示略）を取り付け、スマートフォン１をバンド内に挿入することで、レンズモジュール１０をスマートフォン１に奏略するものであり、この場合もコンバージョンレンズ１１をスマートフォン１の背面に対して縦横に移動可能になっている。
【００３３】
レンズモジュール１０は、上述のコンバージョンレンズ１１およびＬＥＤ１２，１３と、ＬＥＤ１２を駆動するＬＥＤ駆動回路１４（図７Ａに図示）と、ＬＥＤ１３を駆動するＬＥＤ駆動回路１５（図７に図示）とを備える。
また、レンズモジュール１０は、図４、図５の示すようにコンバージョンレンズ１１が収納されるレンズ筐体２０を備える。レンズ筐体２０は、コンバージョンレンズ１１を支持するバレル２０ａを基端側（カメラ２に装着される側）に備え、先端面が肌２４の撮影時に肌２４に当接する当接部２０ｂとされ、当接部２０ｂが肌２４に当接した状態で外光を遮るようになっている。また、当接部２０ｂには、矩形状（略正方形状）の開口部２０ｃが形成され、肌２４の開口部２０ｃに臨む部分が撮影されるようになっている。
【００３４】
図３〜図５に示すように、バレル２０ａは、レンズ１１ａおよびレンズ１１ｂからなるコンバージョンレンズ１１を支持した状態で、レンズ筐体２０の基端部（カメラ２に装着される側の端部）内に固定されている。また、バレル２０ａの基端部には、後述の第２偏光板２２が設けられている。また、レンズ筐体２０内には、当接部２０ｂの開口部２０ｃに向けて撮影用の照明光を照射するＬＥＤ１２，１３を備えたＬＥＤ基板１２ａ（図３〜図６に図示）が支持されている。
【００３５】
ＬＥＤ１２,１３は、ＬＥＤ基板１２ａに設けられている。また、後述のように肌２４のキメを撮影するためのＬＥＤ１３が一つで、肌２４のシミを撮影するためのＬＥＤ１２が２つとされている。また、ＬＥＤ基板１２ａの２つのＬＥＤ１２は、後述の第１偏光板２１に覆われた状態となっている。また、ＬＥＤ駆動回路１４，１５もＬＥＤ基板１２ａに設けられている。なお、ＬＥＤ駆動回路１４，１５が回路基板１６ｂに設けられていてもよい。
【００３６】
なお、図３〜図５に示すように、ＬＥＤ基板１２ａは、そのＬＥＤ１２，１３がレンズ筐体２０の開口部２０ｃに臨む肌２４を直接照明するように配置されているが、ハーフミラーで反射させることにより、ＬＥＤ１２，１３の光が開口部２０ｃに臨む肌２４に照射されるようにしてもよい。
【００３７】
また、レンズモジュール１０は、筐体１０ａに固定された回路基板１６ｂに、ＬＥＤ駆動回路１４，１５、ＣＰＵ１６等に電力を供給する電池１７を備えた電源回路１８（図７Ａに図示）と、電源スイッチ１９を備える。なお、電池１７として円板状のボタン電池を図示したが、電池は、例えば、単４電池であってもよい。電源スイッチ１９はスライド式、プッシュ式等各種スイッチを用いることができる。電源スイッチ１９を設ける場所も肌レンズ１０の筺体部分に限らず、肌に当接する当接部にプッシュ式の電源スイッチを設けることもできる。このプッシュ式の電源スイッチは肌に当接することによりスイッチが入るものとしてもよい。この場合シリコーンゴムからなる接触部材が外側に付勢された状態で当接部から突出しており、接触部材が肌に当たることにより電源スイッチがＯＮとなり、離した時にＯＦＦとなるように構成する。また、より強い力で付勢しておき、手で押し込んで長押しでＯＮ、ＯＦＦとしてもよい。この場合は、肌に当てても電源スイッチは入らない。
【００３８】
また、上述の二つのＬＥＤ１２，１３は、発光色が少し異なり、ＬＥＤ１２は、肌２４のシミの撮像に用いられるもので、発光色が略白となっている。それに対して、ＬＥＤ１３は、肌２４のキメの撮像に用いられるもので、ＬＥＤ１２の発光色に対して黄色が強く肌色に近い色になっている。
【００３９】
また、シミ撮影用のＬＥＤ１２に第１偏光板２１が設けられ、コンバージョンレンズ１１と、カメラ２との間に第２偏光板２２が設けられている。これは、肌２４の表面より少し下にあるシミを撮影するためのもので、これら偏光板２１，２２により、ＬＥＤ１２で肌２４のシミを撮影する際の肌２４内部の反射光より、肌２４表面の反射光を大きく低減させ、シミが撮影され易くするものである。なお、第１偏光板２１と、第２偏光板２２では、偏光方向が直交している。ＬＥＤ１２の光は第１偏光板２１を通過して偏光され、この偏光は、肌２４で反射されても維持され、第２偏光板２２を通過困難な状態となる。それに対して肌２４内部で反射した光は、偏光がなくなり、第２偏光板２２を通過する。なお、偏光板２１，２２を設けなくてもよい。
【００４０】
このようなレンズモジュール１０では、電子回路部のＣＰＵ１６の制御により、キメの撮影時にＬＥＤ１３を発光（点灯）させるとともにＬＥＤ１２を消灯したままの状態とし、シミの撮影時にＬＥＤ１２を発光させるとともにＬＥＤ１３を消灯したままとする。
【００４１】
スマートフォン１は、周知の通り携帯電話としての機能を有し、無線回線を用いた通話が可能となっている。また、スマートフォン１は、図示しないディスプレイを有するとともに、無線回線によりインターネットに接続可能であり、インターネットを介してｅメールの送受信が可能で、アプリケーション（アプリ）としてのブラウザによりウェブサイトの閲覧が可能になっている。また、例えば、ウェブサイト等のサーバーに対してファイルのアップロードが可能で、ウェブサイト等のサーバーからファイルのダウンロードが可能になっている。
【００４２】
また、スマートフォン１には、ＣＰＵ、ＲＯＭ、ＲＡＭ等を有する制御手段（図７Ａに図示）３を備え、プログラムとしてのアプリを実行可能になっている。また、制御手段３には、記憶装置としてのフラッシュメモリ４が接続されており、ダウンロードとしたアプリや、音楽ファイル、動画ファイル、静止画ファイル等、アプリ（プログラム）を保存可能になっている。
また、制御手段３は、カメラ２を制御して撮影（撮像）が可能であるとともに、撮像した画像データをフラッシュメモリ４に保存することができる。また、画像処理や画像解析用のアプリにより画像データの解析や処理が可能である。
カメラ２は、撮像素子を有し、静止画、動画の撮影が可能であり、例えば、３０ｆｐｓ等の設定されたフレームレートで画像を撮影する。
【００４３】
さらに、制御手段３は、ＬＥＤ１２,１３の点灯および消灯を検出する点消灯検出手段３ａと、点消灯検出手段３ａによってそれぞれのＬＥＤ１２,１３の点灯および消灯が検出された際に、カメラ２による撮影を制御する撮影制御手段３ｂと、この撮影制御手段３ｂによる制御によってカメラ２で撮影された撮影画像をＬＥＤ１２,１３に関連付けて携帯端末の画面に表示させる表示制御手段３ｃとを備えている。
【００４４】
肌レンズ（レンズモジュール）１０は、前記コンバージョンレンズ１１およびＬＥＤ１２，１３と、ＬＥＤ１２を駆動するＬＥＤ駆動回路１４と、ＬＥＤ１３を駆動するＬＥＤ駆動回路１５とを備えている。また、レンズモジュール１０は、ＬＥＤ駆動回路１４，１５を介してＬＥＤ１２，１３の点灯と消灯を制御する光源制御手段としてのＣＰＵ１６を備えている。なお、ＣＰＵ１６は、実際にはＣＰＵ単体ではなく、ＲＯＭ、ＲＡＭ等の記憶手段を備えるワンチップマイコン（ＩＣチップ）である。
【００４５】
また、肌レンズ（レンズモジュール）１０は、ＬＥＤ駆動回路１４，１５、ＣＰＵ１６等に電力を供給する電池１７を備えた電源回路１８と、電源スイッチ１９を備えている。
また、肌レンズ（レンズモジュール）１０は、コンバージョンレンズ１１の鏡筒２０を備える。鏡筒２０は、コンバージョンレンズ１１を支持するとともに、フードとして機能し、先端面が肌に接触した状態で外光を遮るようになっている。
【００４６】
（第１例）
次に、第１の実施の形態の携帯型撮影装置によって、人の顔の肌を撮影する方法の制御シーケンスの第１例について図８を参照して説明する。
まず、撮影者（ユーザ）は、スマートフォン１の電源をＯＮにした後、その画面で「簡易肌診断」というアプリを選択する（ステップＵＳ１）。
すると、スマートフォン１の撮影処理がスタートする（ステップＳＳ１）。スマートフォン１の画面には、「肌レンズの電源をＯＮにして、肌にセットしてください。準備ができたら撮影ボタンにタッチして下さい」とのメッセージが表示される（ステップＳＳ１）。このメッセージは音声によるものでもよく、併用してもよい。
【００４７】
肌レンズ１０では、電源スイッチをＯＮとすると（ステップＨＳ１）、当該肌レンズ１０が初期化処理され（ステップＨＳ２）、ＬＥＤの点滅モードを開始する。すなわち、ＣＰＵ（光源制御手段）１６は、２種類のＬＥＤ１２,１３の点灯と消灯を所定時間ごとに順次繰り返して行う制御を行う。
まずきめ撮影用のＬＥＤ１３を２秒間点灯させた（ステップＨＳ３）後、当該ＬＥＤ１３を０．５秒間消灯させる（ステップＨＳ４）。次に、しみ撮影用のＬＥＤ１２を２秒間点灯させた（ステップＨＳ５）後、当該ＬＥＤ１２を０．５秒間消灯させる（ステップＨＳ４）。
その後、ステップＨＳ３〜ステップＨＳ５を順次繰り返して行い、初期化処理（ステップＨＳ２）から３０秒経過したら（ステップＨＳ６）、ＣＰＵ１６は電源をＯＦＦ処理する（ステップＨＳ７）。ステップＨＳ６で３０秒経過していなかった場合、ステップＨＳ３〜ステップＨＳ５を順次繰り返して行い、３０秒経過したら（ステップＨＳ６）、ＣＰＵ１６は電源をＯＦＦ処理する（ステップＨＳ７）。
このように、肌レンズ１０では、ＬＥＤ１３,１２の点灯と消灯を所定時間（点灯２秒間、消灯０．５秒間）ごとに順次繰り返して行っている。
【００４８】
ここで、肌レンズ１０（レンズモジュール）の電池１７が消耗してきた場合、ステップＨＳ６で３０秒経過し、ステップＨＳ７で電源をＯＦＦにする前に、ＬＥＤ１２，１３のうちの少なくともいずれか一方を、所定間隔（例えば０．２秒間隔）の点滅を所定時間（例えば３秒間）行い、これによりユーザーに電池が消耗していることを報知する。この場合、予めＬＥＤ駆動回路１４，１５に前記のような点滅処理を設定しておき、肌レンズ１０のＣＰＵ１６が電池１７の消耗を電源回路１８を介して検知した場合に、ＬＥＤ駆動回路１４，１５に指示して、ＬＥＤ１２，１３を前記のようにして点滅させればよい。このように構成すれば、ユーザーに電池１７の消耗を知らせるための特別な表示機能を要することなく、電池１７の消耗を確実に報知できる。
この場合、電源回路１８に電池電圧低下検出回路などの電源電圧監視手段が設けられ、電池１７の電圧が設定された基準電圧以下となった場合に信号を出力する機能を有するものである。
【００４９】
また、消耗してきた電池１７では、ＬＥＤ１２，１３が点滅を始めると、急激に電圧低下が起こり、前記ステップＨＳ６での３０秒経過前に、電源回路１８に設けられた電池電圧低下検出回路が働き、ＣＰＵ１６の指示によってＬＥＤ点滅動作が停止される場合がある。このような電池１７が消耗した状態での、規定時間（３０秒）より少ない時間でのＬＥＤ点滅終了を防止するために以下のような処理を行う。すなわち、前記ステップＨＳ６での３０秒の間に一度でも電池電圧低下が前記電池電圧低下検出回路を介してＣＰＵ１６で検知された場合、この情報をフラグ情報として、肌レンズ１０に設けた図示しない不揮発性メモリに記録する。
そして、次回電源スイッチ１９を押下した際に、前記フラグ情報があれば、ＣＰＵ１６がＬＥＤ駆動回路１４，１５に指示してＬＥＤ１２，１３の肌撮影用の点灯を行わないようにする。不揮発性メモリに記録されている前記フラグは、新品の電池１７に交換され、例えば電池電圧が４．３Ｖ以上になったことを検出した場合、当該不揮発性メモリからクリア（削除）される。
このような電池１７の消耗をユーザーに報知する機能および電池１７が消耗した状態での、規定時間（３０秒）より少ないＬＥＤ点滅を防止するための機能は後述する第２例〜第８例でも同様に行える。
【００５０】
肌レンズでの上記ＬＥＤの点滅モード中に、撮影者は肌に携帯型撮影装置をセット（ステップＵＳ２）したうえで、スマートフォンの画面に表示される撮影ボタンをタッチする（ステップＵＳ３）。
撮影操作中にユーザーは画面を見ることが困難である。そのため、画面中の撮影ボタンはユーザーが画面を見なくてもタッチできるように、かつ、画面中に表示された他のボタンを触れて誤操作しないようになっている。すなわち、図７Ｂ（ａ）に示すように、スマートフォン１を手で保持しつつ人差し指で撮影ボタン１ａをタッチすることを想定して、画面の上段部分に撮影ボタン１ａを表示している。撮影ボタン１ａは上端から画面縦サイズの１／５〜１／３の範囲が望ましい。
また、右手で操作するユーザーに対しては、図７Ｂ（ｂ）に示すように、画面の上記範囲の中で右半分、好ましくは画面右端から左に１／４〜１／２の範囲に撮影ボタン１ｂを配置するのが望ましい。左手で操作するユーザーに対してはこの対称の位置に撮影ボタン１ｂが配置されるのが好ましい。これは、ユーザーが手鏡を利用してカメラの撮影画面を見ながら操作することを想定した場合に有効な方法である。
さらに、撮影をキャンセルするボタンを画面に配置することも必要であるが、ユーザーが撮影時に最も誤って触れにくい部分に配置することが必要である。ユーザーがスマホを保持して肌に当てながら撮影ボタンを人差し指で触れるということを考慮すれば、画面の下半分の位置、画面下端から縦画面サイズの１／３の位置に配置するのが好ましい。また取消の際にはユーザーが画面を見て操作するのが通例であるため、画面下端から縦画面サイズの１／５の位置が視覚的にも好ましい。
ユーザーが撮影ボタンをタッチすると、音声により「撮影を開始します。そのまま５秒間お待ちください」とのメッセージがユーザー向けに案内される（ステップＳＳ３）。
【００５１】
前記スマートフォン１では、ステップＳＳ３の後、点消灯検出手段３ａがＬＥＤ１２,１３の消灯を確認するまで待ち状態となる（ステップＳＳ４）。ステップＳＳ４でＬＥＤ１２,１３の消灯を確認した後、点消灯検出手段３ａがきめ撮影用のＬＥＤ１３の光の波長を検出することによって、当該ＬＥＤ１３が点灯しているのを検出する（ステップＳＳ５）。次に、撮影制御手段３ｂが、当該ＬＥＤ１３の点灯時間（２秒）を考慮して、点灯時間内の適切な時間に前記カメラ２を撮影制御する（ステップＳＳ６）。つまり、カメラ２のシャッター音を発生させ静止画像を取り込む。これによって、きめ用の撮影画像を得ることができる。
【００５２】
次に、点消灯検出手段３ａがＬＥＤ１２,１３の消灯を確認するまで待ち状態となる（ステップＳＳ７）。消灯が確認できたら、点消灯検出手段３ａがしみ撮影用のＬＥＤ１２を、その光の波長を検出することによって、当該ＬＥＤ１２が点灯しているのを検出する（ステップＳＳ８）。次に、撮影制御手段３ｂが、当該ＬＥＤ１２の点灯時間（２秒）を考慮して、点灯時間内の適切な時間に前記カメラ２を撮影制御する（ステップＳＳ９）。つまり、カメラ２のシャッター音を発生させ静止画像を取り込む。これによって、しみ用の撮影画像を得ることができる。
【００５３】
次に、表示制御手段３ｃが前記カメラ２で撮影されたきめ用としみ用の２種類の撮影画像を、ＬＥＤ１３,１２と関連付けてスマートフォン１の画面に表示させる（ステップＳＳ１０）。つまり、表示される撮影画像がＬＥＤ１３を光源として撮影されたきめ用の画像であるか、ＬＥＤ１２を光源として撮影されたしみ用の画像であるかを区別して表示させる。
ステップＳＳ６でカメラ２によって撮影された画像は、きめ用の画像であり、ステップＳＳ８でカメラ２によって撮影された画像は、しみ用の画像であるため、それぞれカメラ２で撮影された画像を、きめ用としてメモリ４に保存するとともに、しみ用としてメモリ４に保存する。したがって、メモリ４からそれぞれの画像を読み込むことによって、スマートフォン１の画面に、きめ用の撮影画像としみ用の撮影画像を表示できる。
この表示が終了したら、スマートフォン１では撮影処理を終了するか、再撮影を行うか、撮影者が次のアプリケーション処理を選択するか、いずれかをユーザーは選択する。図８のフローでは撮影者が次のアプリケーション処理を選択し（ＵＳ４）、次のアプリケーション処理へと移行する場合を記載している（ステップＳＳ１１）。
【００５４】
なお、本例では、きめ撮影の後、しみ撮影となっているが、逆であってもかまわない。
また、スマートフォン１にはさまざまな機種があり、ＬＥＤの波長検出および、撮影カメラ制御処理の時間は、機種によって異なる。もっとも時間がかかる機種を考慮して、本例では、ＬＥＤ点灯時間は２秒間としているが、実質的には１秒程度としても問題はない。
このように本実施の形態ではＬＥＤ点灯時間を２秒間としているが、点灯必要時間は、スマートフォン１のカメラ性能に依存する。スマートフォン１のカメラ２において、フォーカス調整に比較的長時間を要する場合、ＬＥＤ点灯時間を長時間に設定する必要がある一方、フォーカス調整が素早いスマートフォン１では、ＬＥＤ点灯時間が長時間であるために、待ち時間が長くなるという弊害がある。
そこで、ＬＥＤ点灯時間を変更できる機能を追加してもよい。例えば、レンズモジュール１０のＬＥＤ駆動回路１４，１５に予め複数の点灯時間（例えば、１．５秒、２．０秒、２．５秒、３．０秒）を設定しておき、電源スイッチ１９を長押し（例えば５秒）すると、それをＣＰＵ１６が検知して、ＬＥＤ駆動回路１４，１５に指示して、ＬＥＤ点灯時間を順次（例えば、１．５秒、２．０秒、２．５秒、３．０秒の順に）変更する（切り替える）ように構成すればよい。
このように構成すれば、電源１９を長押しするたびにＬＥＤ点灯時間を変更できるので、スマートフォン１のカメラ性能（フォーカス性能）に応じて、適切なＬＥＤ点灯時間を設定できる。
このようなＬＥＤ点灯時間の変更機能は、後述する第２例〜第８例でも同様に追加することができる。
また、ＬＥＤ点灯時間を変更した場合、その変更をユーザーに報知する必要があるが、この報知は例えば、電源スイッチ１９に複数種類の光を発光可能なＬＥＤを設けておき、複数の点灯時間とＬＥＤの複数の発光色とをそれぞれ対応付けておき、電源スイッチ１９を長押しするたびにＬＥＤの発光色が変わるように構成すればよい。
また、レンズモジュール１０の適当な部位にＬＥＤ点灯時間に応じた複数のＬＥＤを設けておき、電源スイッチ１９を長押しするたびに、ＬＥＤ点灯時間に対応するＬＥＤが点灯するにように構成してもよい。
【００５５】
また、図示は省略しているが、きめ撮影用のＬＥＤ１３の波長検出後に、しみ撮影用のＬＥＤ１２波長を検出しなかった場合は、きめ撮影用のＬＥＤ１３の波長検出時に、たまたま、外光をきめ撮影用のＬＥＤ１３と判別した可能性があり、その場合は、処理をやり直すことになる。
【００５６】
本例によれば、光源制御手段（ＣＰＵ）１６が、ＬＥＤ１３,１２の光源の点灯と消灯を所定時間ごとに順次繰り返して行う制御を行っている場合に、点消灯検出手段３ａによって、ＬＥＤ１２,１３のそれぞれの点灯が検出された際に、撮影制御手段３ｂがカメラ２に撮影させ、ＬＥＤ１２,１３の消灯が検出された際に、点消灯検出手段３ａがＬＥＤ１２またはＬＥＤ１３の波長を検出するまで、カメラの撮影を待機させるので、確実にカメラ２できめ用としみ用の肌の撮影をすることができる。
また、表示制御手段３ｃによって、カメラ２で撮影された撮影画像をＬＥＤ１２またはＬＥＤ１３と関連付けてスマートフォン１の画面に表示させるので、ユーザーは画面に表示された撮影画像の種類を容易に確認できる。つまり、ユーザーはきめ用の撮影画像であるのか、しみ用の撮影画像であるのかを容易に確認できる。
【００５７】
（第２例）
前記第１例では、きめ撮影用のＬＥＤ１３の波長を検出して、きめ撮影をカメラ２で行った後、ＬＥＤ１３,１２の消灯確認をした後、しみ撮影用のＬＥＤ１２の波長検出を行っている。
この方式の利点は、スマートフォン１の性能向上等により、ＬＥＤ波長検出、および撮影のカメラ制御時間が短くなり、しみ撮影用のＬＥＤ１２、およびきめ撮影用のＬＥＤ１３の点灯時間２秒間を、肌レンズ１０側で短くした機種が出てきても、スマートフォン１側のソフトは、変更せずに、どちらの肌レンズ機種も扱えるという点にある。一方、将来にわたって、しみ撮影用のＬＥＤ１２、およびきめ撮影用のＬＥＤ１３の点灯時間２秒間を変更しないのであれば、きめ撮影用のＬＥＤ１３の点灯時間が２秒間であることを前提として、その後のＬＥＤ１２,１３の０．５秒間消灯を省いても良い。この場合の制御シーケンスを以下に示す。つまり、第１の実施の形態の携帯型撮影装置によって、人の顔の肌を撮影する方法の制御シーケンスの第２例について図９を参照して説明する。
【００５８】
まず、本例では、前記ステップＵＳ１〜ステップＵＳ４まで、前記ステップＳＳ１〜ステップＳＳ３までは、前記第１例と同様であるので、その説明を省略する。
肌レンズ１０では、初期化処理後、ＣＰＵ（光源制御手段）１６は、２種類のＬＥＤ１３,１２を順次所定時間（２秒間）点灯させるとともに、ＬＥＤ１３,１２の点灯後、ＬＥＤ１３,１２を所定時間（０．５秒間）消灯させる制御を繰り返して行う。
【００５９】
すなわち、ＣＰＵ１６が、まずきめ撮影用のＬＥＤ１３を２秒間点灯させた（ステップＨＳ１３）後、当該ＬＥＤ１３を消灯するとともに、しみ撮影用のＬＥＤ１２を２秒間点灯させる（ステップＨＳ１４）。ＬＥＤ１３の消灯とともに、ＬＥＤ１２を点灯させるので、ＬＥＤ１３とＬＥＤ１２との間の点灯、消灯において、ＬＥＤ１３,１２の双方とも消灯していることはない。その後、ＬＥＤ１３,１２を０．５秒間消灯させる（ステップＨＳ１５）。
そして、ステップＨＳ１３〜ステップＨＳ１５を順次繰り返して行い、初期化処理（ステップＨＳ２）から３０秒経過したら（ステップＨＳ１６）、ＣＰＵ１６は電源をＯＦＦ処理する（ステップＨＳ１７）。ステップＨＳ１６で３０秒経過していなかった場合、ステップＨＳ１３〜ステップＨＳ１５を順次繰り返して行い、３０秒経過したら（ステップＨＳ１６）、ＣＰＵ１６は電源をＯＦＦ処理する（ステップＨＳ１７）。
【００６０】
このように、肌レンズ１０では、ＬＥＤ１３,１２を順次所定時間（２秒間）点灯させるとともに、ＬＥＤ１３,１２の点灯後、ＬＥＤ１３,１２を所定時間（０．５秒間）消灯させる制御を繰り返し行っている。
【００６１】
前記スマートフォン１では、ステップＳＳ３の後、点消灯検出手段３ａがＬＥＤ１２,１３の消灯を確認するまで待ち状態となる（ステップＳＳ１４）。ステップＳＳ１４でＬＥＤ１２,１３の消灯を確認した後、点消灯検出手段３ａがきめ撮影用のＬＥＤ１３の光の波長を検出することによって、当該ＬＥＤ１３が点灯しているのを検出する（ステップＳＳ１５）。
次に、タイマーをスタートさせる（ステップＳＳ１６）。このタイマーはスマートフォン１に時計機能として内蔵されており、前記制御手段３がタイマーのＯＮ・ＯＦＦ制御およびタイマーの経過時間を検出可能となっている。
タイマーをスタートさせた後、撮影制御手段３ｂがカメラ２を撮影制御する（ステップＳＳ１７）。つまり、カメラ２のシャッター音を発生させ静止画像を取り込む。前記ステップＳＳ１５できめ撮影用のＬＥＤ１３が点灯していることが確認されているので、きめ用の撮影画像を得ることができる。
【００６２】
次に、きめ撮影用のＬＥＤ１３は２秒間点灯しているので、タイマーによって２秒経過したことが制御手段３によって検出されたならば（ステップＳＳ１８）、撮影制御手段３ｂがカメラ２を撮影制御する（ステップＳＳ１９）。つまり、カメラ２のシャッター音を発生させ静止画像を取り込む。前記ステップＳＳ１５できめ撮影用のＬＥＤ１３が点灯していることが確認されており、当該点灯から２秒経過しているので、ステップＳＳ１９では、しみ撮影用のＬＥＤ１２が点灯していることになる。したがって、しみ用の撮影画像を得ることができる。
このように、撮影制御手段３ｂがＬＥＤ１３,１２の点灯に同期するように、所定時間（２秒間）間隔で前記カメラを撮影制御することによって、きめ用の撮影画像としみ用の撮影画像を得ることができる。
【００６３】
次に、表示制御手段３ｃが前記カメラ２で撮影されたきめ用としみ用の２種類の撮影画像を、ＬＥＤ１３,１２と関連付けてスマートフォン１の画面に表示させる（ステップＳＳ２０）。つまり、表示される撮影画像がＬＥＤ１３を光源として撮影されたきめ用の画像であるか、ＬＥＤ１２を光源として撮影されたしみ用の画像であるかを区別して表示させる。ステップＳＳ１７でカメラ２によって撮影された画像は、きめ用の画像であり、ステップＳＳ１９でカメラ２によって撮影された画像は、しみ用の画像であるため、それぞれカメラ２で撮影された画像を、きめ用としてメモリ４に保存するとともに、しみ用としてメモリ４に保存する。したがって、メモリ４からそれぞれの画像を読み込むことによって、スマートフォン１の画面に、きめ用の撮影画像としみ用の撮影画像を表示できる。
この表示が終了したら、スマートフォン１では撮影処理を終了するか、再撮影を行うか、撮影者が次のアプリケーション処理を選択するか、いずれかをユーザーは選択する。図９のフローでは撮影者が次のアプリケーション処理を選択し（ＵＳ４）、次のアプリケーション処理へと移行する場合を記載している（ステップＳＳ１１）。
【００６４】
なお、本例では、きめ撮影の後、しみ撮影となっているが、逆であってもかまわない。
【００６５】
本例によれば、ＣＰＵ（光源制御手段）１６が２種類のＬＥＤ１３,１２を順次所定時間点灯させるとともに、ＬＥＤ１３,１２の点灯後、当該ＬＥＤ１３,１２を所定時間（０．５秒間）消灯させる制御を繰り返し行っている場合に、点消灯検出手段３ａがＬＥＤ１３,１２の消灯を検出した後、最初のＬＥＤ１３の点灯を検出した場合に、撮影制御手段３ｂがカメラ２を撮影制御し、その後は、撮影制御手段３ｂが、ＬＥＤ１２の点灯に同期するように、タイマーによって所定時間（２秒間）間隔でカメラ２を撮影制御するので、確実にスマートフォン１のカメラ２で２種類のＬＥＤ１３,１２による撮影を行うことができる。また、点消灯検出手段３ａがＬＥＤ１３,１２の消灯と、この消灯後の最初のＬＥＤ１３の点灯を検出するだけで、２種類のＬＥＤ１３,１２による撮影を行えるという利点がある。
また、第１例と同様に、表示制御手段３ｃによって、カメラ２で撮影された撮影画像をＬＥＤ１２またはＬＥＤ１３と関連付けてスマートフォン１の画面に表示させるので、ユーザーは画面に表示された撮影画像の種類を容易に確認できる。つまり、ユーザーはきめ用の撮影画像であるのか、しみ用の撮影画像であるのかを容易に確認できる。
【００６６】
（第３例）
前記第１および第２例では、最初に、きめ撮影用のＬＥＤ１３の波長の検出を待って、カメラ撮影を行っている。この場合、丁度、きめ撮影用のＬＥＤ１３が点灯を始めた直後に、撮影ボタンがタッチされた場合は、きめ撮影用のＬＥＤ１３が消灯し、次にしみ撮影用のＬＥＤ１２が点灯・消灯し、次にきめ撮影用のＬＥＤ１３が点灯されてから、カメラ撮影が始まることになる。撮影ボタンのタッチのタイミングによって、撮影開始までの時間が異なることを防ぐには、ＬＥＤの波長が、きめ撮影用か、しみ撮影用かを判別し、撮影を行った方が良い。この場合は、単にきめ撮影用のＬＥＤ１３、あるいはしみ撮影用のＬＥＤ１２が点灯しているかどうかの判別よりは、処理に時間がかかる。そのため、ＬＥＤ１２,１３の点灯時間は、第１例および第２例の場合よりは、長くした方が安全であり、本第３例では、２．２秒間としている。この場合の制御シーケンスを図１０を参照して説明する。
【００６７】
まず、本例では、前記ステップＵＳ１〜ステップＵＳ４まで、前記ステップＳＳ１〜ステップＳＳ３まで、ステップＨＳ１〜ステップＨＳ７までは、前記第１例と同様であるので、その説明を省略する。ただし、本例では、ステップＨＳ３で、きめ撮影用のＬＥＤ１３の点灯時間を２．２秒間、ステップＨＳ５で、しみ撮影用ＬＥＤ１２の点灯時間を２．２秒間としている点が第１例と異なる。
【００６８】
また、肌レンズ１０では、ＬＥＤ１３,１２を順次所定時間（２．２秒間）点灯させるとともに、ＬＥＤ１３,１２の点灯後、ＬＥＤ１３,１２を所定時間（０．５秒間）消灯させる制御を繰り返し行っているが、この繰り返しの途中において、ＬＥＤ１２,１３の消灯後、どちらのＬＥＤ（ＬＥＤ１３またはＬＥＤ１２）が点灯しているかが不明であるので、スマートフォン１でＬＥＤの波長判別を行って、どちらのＬＥＤ（ＬＥＤ１３またはＬＥＤ１２）が点灯しているかを判断している（ステップＳＳ２６およびステップＳＳ３１）。なお、図１０において、「きめｏｒしみ撮影ＬＥＤ２．２秒点灯」というステップを、ステップＨＳ３（５）とし、「しみｏｒきめ撮影ＬＥＤ２．２秒点灯」というステップを、ステップＨＳ５（３）としている。
【００６９】
前記スマートフォン１では、ステップＳＳ３の後、点消灯検出手段３ａがＬＥＤ１２,１３の消灯を確認するまで待ち状態となる（ステップＳＳ２４）。ステップＳＳ２４でＬＥＤ１２,１３の消灯を確認した後、点消灯検出手段３ａがＬＥＤ１２またはＬＥＤ１３の点灯を検出し（ステップＳＳ２５）、次に、ＬＥＤ１２またはＬＥＤ１３の波長判別を行う（ステップＳＳ２６）ことによって、点灯しているＬＥＤがしみ撮影用のＬＥＤ１２であるのか、きめ撮影用のＬＥＤ１３であるのかを判断する。
【００７０】
点灯しているＬＥＤがきめ撮影用のＬＥＤ１３であった場合、撮影制御手段３ｂがカメラ２を撮影制御する（ステップＳＳ２７）。つまり、カメラ２のシャッター音を発生させ静止画像を取り込む。これによって、きめ用の撮影画像を得ることができる。
一方、点灯しているＬＥＤがしみ撮影用のＬＥＤ１２であった場合、撮影制御手段３ｂがカメラ２を撮影制御する（ステップＳＳ２８）。つまり、カメラ２のシャッター音を発生させ静止画像を取り込む。これによって、しみ用の撮影画像を得ることができる。
【００７１】
次に、点消灯検出手段３ａがＬＥＤ１２,１３の消灯を確認するまで待ち状態となる（ステップＳＳ２９）。その後、ステップＳＳ２５の場合と同様に、点消灯検出手段３ａがＬＥＤ１２,１３の点灯を検出し（ステップＳＳ３０）、次にステップＳＳ２６の場合と同様に、ＬＥＤ１２,１３の波長判別を行う（ステップＳＳ３１）ことによって、点灯しているＬＥＤがしみ撮影用のＬＥＤ１２であるのかきめ撮影用のＬＥＤ１３であるのかを判断する。
【００７２】
点灯しているＬＥＤがきめ撮影用のＬＥＤ１３であった場合、撮影制御手段３ｂがカメラ２を撮影制御する（ステップＳＳ３２）。つまり、カメラ２のシャッター音を発生させ静止画像を取り込む。これによって、きめ用の撮影画像を得ることができる。
一方、点灯しているＬＥＤがしみ撮影用のＬＥＤ１２であった場合、撮影制御手段３ｂがカメラ２を撮影制御する（ステップＳＳ３３）。つまり、カメラ２のシャッター音を発生させ静止画像を取り込む。これによって、しみ用の撮影画像を得ることができる。
このように、本例では、きめ用の撮影としみ用の撮影をそれぞれ２回ずつ行っている。
【００７３】
次に、表示制御手段３ｃが前記カメラ２で撮影されたきめ用としみ用の２種類の撮影画像を、ＬＥＤ１３,１２と関連付けてスマートフォン１の画面に表示させる（ステップＳＳ３４）。つまり、表示される撮影画像がＬＥＤ１３を光源として撮影されたきめ用の画像であるか、ＬＥＤ１２を光源として撮影されたしみ用の画像であるかを区別して表示させる。
この表示が終了したら、スマートフォン１では撮影処理を終了するか、再撮影を行うか、撮影者が次のアプリケーション処理を選択するか、いずれかをユーザーは選択する。図１０のフローでは撮影者が次のアプリケーション処理を選択し（ＵＳ４）、次のアプリケーション処理へと移行する場合を記載している（ステップＳＳ１１）。
【００７４】
本例によれば、第１例と同様の効果を得ることができる他、撮影ボタンのタッチのタイミングによって、撮影開始までの時間が異なることを防止できるという利点がある。
【００７５】
（第４例）
第１例〜第３例においては、スマートフォン１側でのきめ撮影用のＬＥＤ１３の波長か、しみ撮影用のＬＥＤ１２の波長かの判別に、間違いが生じないように、肌レンズ１０に搭載するＬＥＤは、きめ撮影用、しみ撮影用のＬＥＤ１３,１２ともに、規定値よりずれの少ないＬＥＤを搭載する必要がある。しかし、実際には、ＬＥＤの波長はばらつくため、規定値に近い波長のＬＥＤを選別して使用している。このため、ＬＥＤは、価格が高くなる。規定値からのずれの許容値を大きくし、ＬＥＤの価格を下げることを図った第４例を以下にしめす。そのためには、ＬＥＤの波長成分を絶対値で判別するのではなく、両ＬＥＤ１３,１２を相対的に比較し、より赤色に近い波長成分のＬＥＤをきめ撮影用のＬＥＤ１３、より青色に近い波長成分のＬＥＤをしみ撮影用のＬＥＤ１２と判別してやればよい。この場合の制御シーケンスを図１１を参照して説明する。
【００７６】
まず、本例では、前記ステップＵＳ１〜ステップＵＳ４まで、前記ステップＳＳ１〜ステップＳＳ３まで、ステップＨＳ１〜ステップＨＳ７までは、前記第３例と同様であるので、その説明を省略する。
【００７７】
前記スマートフォン１では、ステップＳＳ３の後、点消灯検出手段３ａがＬＥＤ１２,１３の消灯を確認するまで待ち状態となる（ステップＳＳ４）。ステップＳＳ４でＬＥＤ１２,２３の消灯を確認した後、点消灯検出手段３ａがＬＥＤ１２またはＬＥＤ１３の点灯を検出する（ステップＳＳ４０）。このステップＳＳ４０では、点消灯検出手段３ａはＬＥＤの点灯を検出するだけであり、ＬＥＤがきめ撮影用のＬＥＤ１３であるのか、しみ撮影用のＬＥＤ１２であるのかは判別しない。
ＬＥＤの点灯が検出されたら、撮影制御手段３ｂがカメラ２を撮影制御する（ステップＳＳ４１）。つまり、カメラ２のシャッター音を発生させ静止画像を取り込む。これによって、きめ用の撮影画像またはしみ用の撮影画像を得ることができる。
【００７８】
次に、点消灯検出手段３ａがＬＥＤ１２,１３の消灯を確認するまで待ち状態となり（ステップＳＳ４２）、消灯確認した後、点消灯検出手段３ａがＬＥＤ１２またはＬＥＤ１３の点灯を検出する（ステップＳＳ４３）。点消灯検出手段３ａはＬＥＤの点灯を検出するだけであり、ＬＥＤがきめ撮影用のＬＥＤ１３であるのか、しみ撮影用のＬＥＤ１２であるのかは判別しない。しかし、このステップＳＳ４３では、ステップ４０できめ撮影用のＬＥＤ１３が点灯していたならば、しみ撮影用のＬＥＤ１２が点灯したことになる。逆にステップ４０でしみ撮影用のＬＥＤ１２が点灯していたなたば、きめ撮影用のＬＥＤ１３が点灯したことになる。
ＬＥＤの点灯が検出されたら、撮影制御手段３ｂがカメラ２を撮影制御する（ステップＳＳ４４）。つまり、カメラ２のシャッター音を発生させ静止画像を取り込む。これによって、きめ用の撮影画像またはしみ用の撮影画像を得ることができる。このステップＳＳ４４では、ステップＳＳ４１できめ用の撮影画像を得ていたならば、しみ用の撮影画像を得ることができ、逆にステップＳＳ４１でしみ用の撮影画像を得ていたならば、きめ用の撮影画像を得ることができる。
【００７９】
次に、ステップＳＳ４１およびステップＳＳ４４で得られた撮影画像の波長成分を表示制御手段３ｃが比較し、相対的に赤色成分が多い画像をきめ画像としてフラッシュメモリ４に保存し（ステップＳＳ４５）、次に、相対的に青色成分が多い画像をしみ画像としてフラッシュメモリ４に保存する（ステップＳＳ４６）。このステップＳＳ４５とステップＳＳ４６とは順番を逆にしてもよい。
次に、表示制御手段３ｃが前記カメラ２で撮影されたきめ用としみ用の２種類の撮影画像を、ＬＥＤ１３,１２と関連付けてスマートフォン１の画面に表示させる（ステップＳＳ４７）。つまり、表示される撮影画像がＬＥＤ１３を光源として撮影されたきめ用の画像であるか、ＬＥＤ１２を光源として撮影されたしみ用の画像であるかを区別して表示させる。
この表示が終了したら、スマートフォン１では撮影処理を終了するか、再撮影を行うか、撮影者が次のアプリケーション処理を選択するか、いずれかをユーザーは選択する。図１１のフローでは撮影者が次のアプリケーション処理を選択し（ＵＳ４）、次のアプリケーション処理へと移行する場合を記載している（ステップＳＳ１１）。
【００８０】
本例によれば第４例と同様の効果を得ることができる。また、得られた撮影画像を、その波長成分によってＬＥＤ１２,１３と関連付けて画面に表示するので、カメラで撮影する際に、撮影画像をＬＥＤ１２,１３と関連付けなくてもよい。したがって、ＬＥＤの規定値からのずれの許容値を大きくし、ＬＥＤの価格を下げることができるという利点がある。
【００８１】
（第５例）
前記の例では、きめ撮影用のＬＥＤ１３、しみ撮影用のＬＥＤ１２の消灯確認後、ＬＥＤの波長検出を行って、きめ撮影用のＬＥＤ１３の点灯確認を行った後、カメラ２の撮影制御を行い、その後再びきめ撮影用のＬＥＤ１３、しみ撮影用のＬＥＤ１２の消灯確認後、しみ撮影用のＬＥＤ１２の点灯確認を行った後、カメラ２の撮影制御を行ったが、本第５例では、ＬＥＤ１２,１３の消灯確認は最初の１回だけとすることで、処理のスピード化を図っている。この場合の制御シーケンスを図１２を参照して説明する。
【００８２】
まず、本例では、前記ステップＵＳ１〜ステップＵＳ４まで、前記ステップＳＳ１〜ステップＳＳ３まで、ステップＨＳ１〜ステップＨＳ７までは、前記第１例と同様であるので、その説明を省略する。
【００８３】
前記スマートフォン１では、ステップＳＳ３の後、点消灯検出手段３ａがＬＥＤ１２,１３の消灯を確認するまで待ち状態となる（ステップＳＳ４）。ステップＳＳ４でＬＥＤ１２,１３の消灯を確認した後、タイマーをスタート（タイマーセットＴ＝０）させる（ステップＳＳ５０）。このタイマーはスマートフォン１に時計機能として内蔵されており、前記制御手段３がタイマーのＯＮ・ＯＦＦ制御およびタイマーの経過時間を検出可能となっている。
次に、タイマーをスタートさせてから１秒経過するまで待って（ステップＳＳ５０ａ）、１秒経過した後、消灯検出手段３ａがＬＥＤ１２,１３の点灯を検出し、ＬＥＤ１２,１３の波長判別を行う（ステップＳＳ５１）。
点灯しているＬＥＤがしみ撮影用のＬＥＤ１２であった場合、タイマースタートから３．５秒後（Ｔ＝３．５（秒））に撮影制御手段３ｂがカメラ２を撮影制御する（ステップＳＳ５２）。つまり、カメラ２のシャッターを切る。これによって、しみ用の撮影画像を得ることができる。ＬＥＤ１２はＬＥＤ１２,１３の消灯後、２秒間点灯するので、ＬＥＤ１２の点灯開始後０．５秒後〜１．０秒後、ＬＥＤ１２が点灯している間のほぼ中間時点（中央時点）でカメラ２のシャッターが切られることになる。
次に、タイマースタートから６．０秒後（Ｔ＝３．５＋２．０＋０．５）に、撮影制御手段３ｂがカメラ２を撮影制御する（ステップＳＳ５３）。つまり、カメラ２のシャッターを切る。これによって、きめ用の撮影画像を得ることができる。ＬＥＤ１３は、ＬＥＤ１２,１３の消灯後、ＬＥＤ１２の２秒間の点灯、ＬＥＤ１２,１３の０．５秒間の消灯後、２秒間点灯するので、ＬＥＤ１３の点灯開始後０．５秒後〜１．０秒後、当該ＬＥＤ１３が点灯している間のほぼ中間時点（中央時点）でカメラ２のシャッターが切られることになる。
【００８４】
一方、ステップＳＳ５１で、点灯しているＬＥＤがみめ撮影用のＬＥＤ１３であった場合、タイマースタートから３．５秒後（Ｔ＝３．５（秒））に撮影制御手段３ｂがカメラ２を撮影制御する（ステップＳＳ５４）。つまり、カメラ２のシャッターを切る。これによって、きめ用の撮影画像を得ることができる。ＬＥＤ１３はＬＥＤ１２,１３の消灯後、２秒間点灯するので、ＬＥＤ１３が点灯している間のほぼ中間時点（中央時点）でカメラ２のシャッターが切られることになる。
次に、タイマースタートから６．０秒後（Ｔ＝３．５＋２．０＋０．５）に、撮影制御手段３ｂがカメラ２を撮影制御する（ステップＳＳ５５）。つまり、カメラ２のシャッターを切る。これによって、しみ用の撮影画像を得ることができる。ＬＥＤ１２は、ＬＥＤ１２,１３の消灯後、ＬＥＤ１３の２秒間の点灯、ＬＥＤ１２,１３の０．５秒間の消灯後、２秒間点灯するので、当該ＬＥＤ１２が点灯している間のほぼ中間時点（中央時点）でカメラ２のシャッターが切られることになる。
【００８５】
次に、表示制御手段３ｃが前記カメラ２で撮影されたきめ用としみ用の２種類の撮影画像を、ＬＥＤ１３,１２と関連付けてスマートフォン１の画面に表示させる（ステップＳＳ１０）。つまり、表示される撮影画像がＬＥＤ１３を光源として撮影されたきめ用の画像であるか、ＬＥＤ１２を光源として撮影されたしみ用の画像であるかを区別して表示させる。
この表示が終了したら、スマートフォン１では撮影処理を終了するか、再撮影を行うか、撮影者が次のアプリケーション処理を選択するか、いずれかをユーザーは選択する。図１２のフローでは撮影者が次のアプリケーション処理を選択し（ＵＳ４）、次のアプリケーション処理へと移行する場合を記載している（ステップＳＳ１１）。
【００８６】
本例によれば、第１例と同様の効果を得ることができる。また、ＬＥＤ１２,１３の消灯確認は最初の１回だけとすることができるので、処理のスピード化を図ることができる。また、カメラ２による撮影は、ＬＥＤ１２,１３が点灯している時間のほぼ中間時点（中央時点）で行われるので、確実に撮影できる。
【００８７】
（第６例）
第２例は、ＬＥＤ１２,１３間の０．５秒間消灯を省いた場合の例であるが、本第６例では、それに加えて、ＬＥＤの波長判別を不要なものとしている。この場合の制御シーケンスを図１３を参照して説明する。
【００８８】
まず、本例では、前記ステップＵＳ１〜ステップＵＳ４まで、前記ステップＳＳ１〜ステップＳＳ３まで、ステップＨＳ１〜ステップＨＳ７までは、前記第２例と同様であるので、その説明を省略する。ただし、肌レンズ１０側での制御では、第２例と異なり、初期化処理後、ＣＰＵ（光源制御手段）１６は、まず、ＬＥＤ１３,１２を所定時間（０．５秒間）消灯させた（ステップＳＳ１５）後、２種類のＬＥＤ１３,１２を順次所定時間（２秒間）点灯させるとともに、ＬＥＤ１３,１２の点灯後、ＬＥＤ１３,１２を所定時間（０．５秒間）消灯させる制御を繰り返して行っている。
【００８９】
前記スマートフォン１では、ステップＳＳ１〜ＳＳ３の後、点消灯検出手段３ａがＬＥＤ１２,１３の消灯を確認した（ステップＳＳ６１）後、タイマーをスタート（タイマーセットＴ＝０）させる（ステップＳＳ６２）。
【００９０】
次に、タイマースタートから１秒後（Ｔ＝１．０（秒））に撮影制御手段３ｂがカメラ２を撮影制御する（ステップＳＳ６３）。つまり、カメラ２のシャッターを切る。これによって、きめ用の撮影画像を得ることができる。すなわち、ＬＥＤ１２,１３の消灯後は、まずきめ撮影用のＬＥＤ１３が点灯するので、カメラ２のシャッターを切ることで、きめ用の撮影画像を得ることができる。ＬＥＤ１３はＬＥＤ１２,１３の消灯後、２秒間点灯するので、ＬＥＤ１３が点灯している２秒間の中間時点（中央時点（点灯開始から０．５〜１．０秒後））でカメラ２のシャッターが切られることになる。
【００９１】
次に、タイマースタートから３．０秒後（Ｔ＝１．０＋２．０）に、撮影制御手段３ｂがカメラ２を撮影制御する（ステップＳＳ６４）。つまり、カメラ２のシャッターを切る。これによって、しみ用の撮影画像を得ることができる。ＬＥＤ１２は、ＬＥＤ１２,１３の消灯後、ＬＥＤ１３の２秒間の点灯後、２秒間点灯するので、当該ＬＥＤ１２が点灯している間の中間時点（中央時点（点灯開始から０．５〜１．０秒後）でカメラ２のシャッターが切られることになる。
【００９２】
次に、表示制御手段３ｃが前記カメラ２で撮影されたきめ用としみ用の２種類の撮影画像を、ＬＥＤ１３,１２と関連付けてスマートフォン１の画面に表示させる（ステップＳＳ１０）。つまり、表示される撮影画像がＬＥＤ１３を光源として撮影されたきめ用の画像であるか、ＬＥＤ１２を光源として撮影されたしみ用の画像であるかを区別して表示させる。
この表示が終了したら、スマートフォン１では撮影処理を終了するか、再撮影を行うか、撮影者が次のアプリケーション処理を選択するか、いずれかをユーザーは選択する。図１３のフローでは撮影者が次のアプリケーション処理を選択し（ＵＳ４）、次のアプリケーション処理へと移行する場合を記載している（ステップＳＳ１１）。
【００９３】
本例によれば、前記第２例と同様の効果を得ることができる他、カメラ２による撮影が、ＬＥＤ１２,１３が点灯している時間の中間時点（中央時点）で行われるので、確実に撮影できるという利点がある。
【００９４】
なお、第５例、第６例では、最速でＬＥＤ点灯開始後０．５秒後に撮影カメラ制御としているが、撮影カメラ制御を開始して０．０秒後に撮影されるわけではないので、ＬＥＤ点灯開始時点で撮影カメラ制御開始してもよい。
また、第１の実施の形態における第１例〜第６例では、全て、肌レンズ１０の電源ＯＮの後、ＬＥＤ１２,１３を交互に点灯し、所定時間経過後にすべて消灯するようになっているが、次のようにすることによって、電池の消耗を防止できる。
すなわち、肌レンズ１０に発光検出装置あるいはＤＴＭＦ（Ｄｕａｌ−Ｔｏｎｅ  Ｍｕｌｔｉ−Ｆｒｅｑｕｅｎｃｙ）検出装置を搭載することにより、撮影ボタンタッチを認識して、フラッシュ発光あるいは所定音階（生活音と混同しにくい音階で、検出装置が検出しやすい音階）の音発生で、まずキメ撮影用ＬＥＤ１３を２秒間、引き続きシミ撮影用ＬＥＤ１３を２秒間点灯し、それぞれの２秒間の中央時点のタイミングでシャッターをきることによって、電池の消耗を防止できる。
また、本実施例においては、肌レンズのＬＥＤは電源スイッチＯＮから３０秒後に自動消灯して消し忘れによる電力消費を抑えているが、ユーザーが撮影になれることにより１５秒で自動消灯するようにしてもよく、この時間はユーザーがアプリケーションを操作することにより自由に設定できるようになっている。
【００９５】
上述の第１例〜第６例では肌レンズ１０には手動でＯＮ・ＯＦＦするスイッチ手段が設けられ、撮影前にユーザーが手動でスイッチをＯＮにすることによって、ＬＥＤ１２,１３の点灯・消灯制御が開始されるようになっているが、さらに、ユーザーが肌カメラを肌に当てると第２のスイッチが自動的（ユーザーが意識してスイッチのオンを操作することなく）にＯＮとなり、ＬＥＤ１２,１３の点灯・消灯制御が開始されるようにすることにより、消費電力の抑制・ユーザー操作性が向上し、下記のように外光による影響を抑制できる。なお、メインスイッチをなくして前記第２のスイッチ手段で構成してもよい。
また、第２の自動的なスイッチ手段の例としては以下のものが挙げられる。
【００９６】
（１）肌レンズの肌にあたる部分（図２において、当接部２０ｂの面）に１．０ｍｍ程度、弾性的に突出したプッシュスイッチを１個あるいは等間隔に複数個設ける。
この場合、当接部２０ｂが肌に当たって、プッシュスイッチが押圧されたことをＣＰＵ１６が検知し、当該ＣＰＵ１６がスイッチ（電源スイッチ１９）をＯＮとし、当接部２０ｂが肌から離れて、プッシュスイッチが弾性復帰力によって元に戻ったことをＣＰＵ１６が検知し、当該ＣＰＵ１６がスイッチ（電源スイッチ１９）をＯＦＦとするような構成にすればよい。
（２）遮光された鏡筒内部にフォトセンサを設け、明るい状態から暗い状態に切り替わると、つまり、前記当接部２０ｂが肌に当接（密接）して鏡胴内部が明るい状態から暗い状態に切り替わるとスイッチＯＮと認識して制御する。逆の場合には、前記当接部２０ｂが肌から離れて鏡胴内部が暗い状態から明るい状態に切り替わるとスイッチＯＦＦと認識して制御する。
この場合、鏡胴内部が明るい状態から暗い状態に切り替わったことをフォトセンサからの信号によってＣＰＵ１６が検知し、当該ＣＰＵ１６がスイッチ（電源スイッチ１９）をＯＮとし、逆に鏡胴内部が暗い状態から明るい状態に切り替わったことフォトセンサからの信号によってＣＰＵ１６が検知し、当該ＣＰＵ１６がスイッチ（電源スイッチ１９）をＯＦＦするような構成にすればよい。
【００９７】
ＬＥＤ１２,１３の点灯、消灯は、カメラ受像が明るいか、暗いかで判別する。しかし、ＬＥＤ１２,１３が点灯して明るい以外に、外光が入って明るいことがあることに注意する必要がある。明るい、暗いの場合分けをまとめると、以下の表１に示すモードがある。
【００９８】
【表１】
2014103954.tif 000003
【００９９】
状態Ｎｏ.１および２は正規の撮影状態であるが、状態Ｎｏ.３〜６のように、レンズに肌が密着していない状態では、カメラ受像の明暗は、レンズの外光の入射の有無に依存する。
状態Ｎｏ.３〜６の場合による誤判別を減らすには、レンズの肌に密着する部分にスイッチを設け、肌にレンズが密着することにより、肌撮影装置の電源がＯＮし、ＬＥＤの点滅処理が始まるようにすればよい。このときの、撮影処理の流れを表２に示す。
【０１００】
【表２】
2014103954.tif 000004
【０１０１】
表２のＮｏ.５で、撮影処理を行う時点では、レンズが肌に密着されている状態であり、外光の入射はないと考えて処理を行える。また、肌レンズ１０の電源スイッチが、肌に密着したときにＯＮする方式をとらない場合は、スイッチを入れた後、肌に肌レンズをあてた時点では、既に３０秒が経過して、ＬＥＤが点灯しなくなっているという場合もありえるが、本方式では、その心配もない。
【０１０２】
（第７例）
第１例〜第４例では、ＬＥＤ１２,１３の波長で、きめ用ＬＥＤ１３、しみ用ＬＥＤ１２の判別を行っているが、別方式として、ＬＥＤ１２,１３の点灯時間、消灯時間のタイミングで、ＬＥＤの判別を行うようにしてもよい。
図１４および図１５は、第７例の処理シーケンスを示す。この第７例は消灯時間の長さでＬＥＤ１２,１３を判別する例であり、図１４は肌測定装置（肌レンズ１０）側の処理シーケンスを示し、図１５はスマートフォン１側の処理シーケンスを示す。肌測定装置１０の電源スイッチ１９は、前述のように肌に当てると自動でＯＮになるものとしているが、前述のように手動でＯＮとなるものとしてもよい。
【０１０３】
まず、本例では、前記ステップＵＳ１〜ステップＵＳ４まで、前記ステップＳＳ１〜ステップＳＳ３までは、前記第５例と同様であるので、その図示と説明を省略する。
図１４に示すように、肌レンズ（肌撮影装置）１０側では、ユーザーが肌カメラを肌に当てると、自動的（ユーザーが意識してスイッチのオンを操作することなく）に電源スイッチがＯＮとなり（ＨＳ１）、初期化処理を行う（ＨＳ２）。次に、フラッシュメモリ４のＣＲＣチェックを行った（ステップＨＳ２０）後、タイマーを３０秒に設定する（ステップＨＳ２１）。
【０１０４】
次に、きめ撮影用のＬＥＤ１３を２秒間点灯させた（ステップＨＳ２３）後、当該ＬＥＤ１３を０．５秒間消灯させる（ステップＨＳ２４）。次に、しみ撮影用のＬＥＤ１２を２秒間点灯させた（ステップＨＳ２５）後、当該ＬＥＤ１２を１秒間消灯させる（ステップＨＳ２６）。
その後、ステップＨＳ２３〜ステップＨＳ２６を順次繰り返して行い、タイマーセット（ステップＨＳ２１）から３０秒経過したら（ステップＨＳ２７）、ＣＰＵ１６は電源をＯＦＦ処理する（ステップＨＳ２８）。ステップＨＳ２７で３０秒経過していなかった場合、ステップＨＳ２３〜ステップＨＳ２６を順次繰り返して行い、３０秒経過したら（ステップＨＳ２７）、ＣＰＵ１６は電源をＯＦＦ処理する（ステップＨＳ２８）。
このように、きめ用ＬＥＤ１３を２秒間点灯させた後は、当該ＬＥＤ１３を０．５秒間消灯し、しみ用ＬＥＤ１２を２秒間点灯させた後は、当該ＬＥＤ１２を１秒間消灯するといった、消灯時間の差で、どちらのＬＥＤが点灯しているかを判別することができる。
【０１０５】
図１５に示すように、前記スマートフォン１では、前記ステップＳＳ３の後、点消灯検出手段３ａがＬＥＤ１２,１３のいずれかのＬＥＤの点灯を検知するまで待ち状態となる（ステップＳＳ４ａ）。ＬＥＤの点灯を検知した後、当該点灯したＬＥＤの消灯を検知するまで待ち状態となる（ステップＳＳ４ｂ）。
ステップＳＳ４ｂでＬＥＤの消灯を確認した後、タイマーをスタート（タイマーセットＴ＝０）させる（ステップＳＳ５０ａ）。このタイマーはＬＥＤの消灯時間を計測するものである。
なお、タイマーはスマートフォン１に時計機能として内蔵されており、前記制御手段３がタイマーのＯＮ・ＯＦＦ制御およびタイマーの経過時間を検出可能となっている。
【０１０６】
次に、ＬＥＤの点灯を検知したならば（ステップＳＳ５１ａ）、当該ＬＥＤがステップＳＳ４ｂで消灯してからステップＳＳ５１ａ点灯するまでの時間を、前記タイマーによって計測してタイマー値（消灯時間）を得る（ステップＳＳ５０ｂ）。
【０１０７】
ステップＳＳ５０ｂで得られたタイマー値が約０．５秒間であった場合、きめ用ＬＥＤ１３が消灯していたことになるので、次はしみ用ＬＥＤ１２が点灯することになる。したがって、当該ＬＥＤ１２の点灯時間（２秒）を考慮して、点灯時間内の適切な時間に撮影制御手段３ｂがカメラ２を撮影制御する（ステップＳＳ５２ａ）。つまり、カメラ２のシャッターを切る。これによって、しみ用の撮影画像を得ることができる。
なお、ステップＳＳ５０ｂで得られたタイマー値が約１．０秒間であった場合、後述の処理（ステップＳＳ５４ａ）に移行するが、タイマー値が約０．５秒間または約１．０秒間以外の値であった場合は、ステップＳＳ４ａに戻る。
【０１０８】
次に、ＬＥＤ１２の消灯を検知した後（ステップＳＳ５２ｂ）、タイマーをスタート（タイマーセットＴ＝０）させる（ステップＳＳ５２ｃ）。このタイマーはＬＥＤ１２の消灯時間を計測するものである。
次に、ＬＥＤ１２の点灯を検知したならば（ステップＳＳ５２ｄ）、当該ＬＥＤ１２がステップＳＳ５２ｂで消灯してからＬＥＤ１３が点灯するまでの時間を、前記タイマーによって計測してタイマー値（消灯時間）を得る（ステップＳＳ５２ｅ）。
ステップＳＳ５２ｅで得られたタイマー値が約１．０秒間であった場合、しみ用ＬＥＤ１２が消灯していたことになるので、次はきめ用ＬＥＤ１３が点灯することになる。したがって、当該ＬＥＤ１３の点灯時間（２秒）を考慮して、点灯時間内の適切な時間に撮影制御手段３ｂがカメラ２を撮影制御する（ステップＳＳ５２ｆ）。つまり、カメラ２のシャッターを切る。これによって、きめ用の撮影画像を得ることができる。
なお、ステップＳＳ５２ｅで得られたタイマー値が約１．０秒間以外の値であった場合は、ステップＳＳ４ａに戻る。
【０１０９】
一方、ステップＳＳ５０ｂで得られたタイマー値が約１．０秒間であった場合、しみ用ＬＥＤ１２が消灯していたことになるので、次はきめ用ＬＥＤ１３が点灯することになる。したがって、当該ＬＥＤ１３の点灯時間（２秒）を考慮して、点灯時間内の適切な時間に撮影制御手段３ｂがカメラ２を撮影制御する（ステップＳＳ５４ａ）。つまり、カメラ２のシャッターを切る。これによって、きめ用の撮影画像を得ることができる。
【０１１０】
次に、ＬＥＤ１３の消灯を検知した後（ステップＳＳ５４ｂ）、タイマーをスタート（タイマーセットＴ＝０）させる（ステップＳＳ５４ｃ）。このタイマーはＬＥＤ１３の消灯時間を計測するものである。
次に、ＬＥＤ１３の点灯を検知したならば（ステップＳＳ５４ｄ）、当該ＬＥＤ１３がステップＳＳ５４ｂで消灯してからＬＥＤ１２が点灯するまでの時間を、前記タイマーによって計測してタイマー値（消灯時間）を得る（ステップＳＳ５４ｅ）。
ステップＳＳ５４ｅで得られたタイマー値が約０．５秒間であった場合、きめ用ＬＥＤ１３が消灯していたことになるので、次はしみ用ＬＥＤ１２が点灯することになる。したがって、当該ＬＥＤ１２の点灯時間（２秒）を考慮して、点灯時間内の適切な時間に撮影制御手段３ｂがカメラ２を撮影制御する（ステップＳＳ５４ｆ）。つまり、カメラ２のシャッターを切る。これによって、しみ用の撮影画像を得ることができる。
なお、ステップＳＳ５４ｅで得られたタイマー値が約０．５秒間以外の値であった場合は、ステップＳＳ４ａに戻る。
【０１１１】
次に、表示制御手段３ｃが前記カメラ２で撮影されたきめ用としみ用の２種類の撮影画像を、ＬＥＤ１３,１２と関連付けてスマートフォン１の画面に表示させる（ステップＳＳ１０）。つまり、表示される撮影画像がＬＥＤ１３を光源として撮影されたきめ用の画像であるか、ＬＥＤ１２を光源として撮影されたしみ用の画像であるかを区別して表示させる。
この表示が終了したら、スマートフォン１では撮影処理を終了するか、再撮影を行うか、撮影者が次のアプリケーション処理を選択するか、いずれかをユーザーは選択する。図１５のフローでは撮影者が次のアプリケーション処理を選択し（ＵＳ４）、次のアプリケーション処理へと移行する場合を記載している（ステップＳＳ１１）。
【０１１２】
本例によれば、ＬＥＤ１２,１３の点灯時間、消灯時間のタイミングで、ＬＥＤの判別を行うようにしているので、処理のスピード化を図ることができる。
【０１１３】
なお、本例では、ＬＥＤ１２，１３の消灯時間を異ならせるようにしたが、当該ＬＥＤ１２，１３消灯時間を同一とし、きめ用のＬＥＤ１３としみ用のＬＥＤ１２の点灯時間をそれぞれ例えば１．５秒と２．０秒のように異なるものとし、最初の消灯後に点灯するＬＥＤの点灯時間を計測して、今点灯したのがきめ用のＬＥＤ１３としみ用のＬＥＤ１２とのいずれかであるかを判定し、次のＬＥＤ点灯から撮影開始するようにしてもよい。
【０１１４】
（第８例）
本例は、前記第７例と、ＬＥＤの波長による識別を組み合わせた例である。たまたま、外光の波長が、きめ用ＬＥＤ、しみ用ＬＥＤの波長と一致した場合や、たまたま外光の明暗タイミングが、ＬＥＤの点灯、消灯タイミングと一致した場合の誤撮影を排除できる。
肌レンズ１０（肌測定装置）側の処理シーケンスは、図１４に示す第７例と同じであるので、その説明を省略する。
スマートフォン１側の処理シーケンスは、以下の通りとなる。
【０１１５】
図１６に示すように、スマートフォン１では、図１５に示す第７例と同様に、ステップＳＳ４ａ、ステップＳＳ４ｂ、ステップＳＳ５０ａ、ステップＳＳ５１ａ、ステップＳＳ５０ｂと処理が進む。
【０１１６】
ステップＳＳ５０ｂで得られたタイマー値が約０．５秒間であった場合、点消灯検出手段３ａがしみ撮影用のＬＥＤ１２の光の波長を検出することによって、当該ＬＥＤ１２が点灯しているのを検出する（ステップＳＳ５２）。ＬＥＤ１２が点灯しているのを検出したならば、撮影制御手段３ｂが、当該ＬＥＤ１２の点灯時間内の適切な時間に前記カメラ２を撮影制御する（ステップＳＳ５２ａ）。つまり、カメラ２のシャッター音を発生させ静止画像を取り込む。これによって、しみ用の撮影画像を得ることができる。
【０１１７】
次に、ＬＥＤ１２の消灯を検知した後（ステップＳＳ５２ｂ）、タイマーをスタート（タイマーセットＴ＝０）させる（ステップＳＳ５２ｃ）。このタイマーはＬＥＤ１２の消灯時間を計測するものである。
次に、ＬＥＤ１２の点灯を検知したならば（ステップＳＳ５２ｄ）、当該ＬＥＤ１２がステップＳＳ５２ｂで消灯してからＬＥＤ１３が点灯するまでの時間を、前記タイマーによって計測してタイマー値（消灯時間）を得る（ステップＳＳ５２ｅ）。
ステップＳＳ５２ｅで得られたタイマー値が約１．０秒間であった場合、しみ用ＬＥＤ１２が消灯していたことになるので、次はきめ用ＬＥＤ１３が点灯することになる。
次に、点消灯検出手段３ａがきめ撮影用のＬＥＤ１３の光の波長を検出することによって、当該ＬＥＤ１３が点灯しているのを検出する（ステップＳＳ５３）。ＬＥＤ１３が点灯しているのを検出したならば、撮影制御手段３ｂが、当該ＬＥＤ１３の点灯時間内の適切な時間に前記カメラ２を撮影制御する（ステップＳＳ５２ｆ）。つまり、カメラ２のシャッター音を発生させ静止画像を取り込む。これによって、きめ用の撮影画像を得ることができる。
【０１１８】
一方、ステップＳＳ５０ｂで得られたタイマー値が約１．０秒間であった場合、点消灯検出手段３ａがきめ撮影用のＬＥＤ１３の光の波長を検出することによって、当該ＬＥＤ１３が点灯しているのを検出する（ステップＳＳ５３）。ＬＥＤ１３が点灯しているのを検出したならば、撮影制御手段３ｂが、当該ＬＥＤ１３の点灯時間内の適切な時間に前記カメラ２を撮影制御する（ステップＳＳ５４ａ）。つまり、カメラ２のシャッター音を発生させ静止画像を取り込む。これによって、きめ用の撮影画像を得ることができる。
【０１１９】
次に、ＬＥＤ１３の消灯を検知した後（ステップＳＳ５４ｂ）、タイマーをスタート（タイマーセットＴ＝０）させる（ステップＳＳ５４ｃ）。このタイマーはＬＥＤ１３の消灯時間を計測するものである。
次に、ＬＥＤ１３の点灯を検知したならば（ステップＳＳ５４ｄ）、当該ＬＥＤ１３がステップＳＳ５４ｂで消灯してからＬＥＤ１２が点灯するまでの時間を、前記タイマーによって計測してタイマー値（消灯時間）を得る（ステップＳＳ５４ｅ）。
ステップＳＳ５４ｅで得られたタイマー値が約０．５秒間であった場合、きめ用ＬＥＤ１３が消灯していたことになるので、次はしみ用ＬＥＤ１２が点灯することになる。
次に、点消灯検出手段３ａがしみ撮影用のＬＥＤ１２の光の波長を検出することによって、当該ＬＥＤ１２が点灯しているのを検出する（ステップＳＳ５２）。ＬＥＤ１２が点灯しているのを検出したならば、撮影制御手段３ｂが、当該ＬＥＤ１２の点灯時間内の適切な時間に前記カメラ２を撮影制御する（ステップＳＳ５４ｆ）。つまり、カメラ２のシャッター音を発生させ静止画像を取り込む。これによって、しみ用の撮影画像を得ることができる。
【０１２０】
次に、表示制御手段３ｃが前記カメラ２で撮影されたきめ用としみ用の２種類の撮影画像を、ＬＥＤ１３,１２と関連付けてスマートフォン１の画面に表示させる（ステップＳＳ１０）。つまり、表示される撮影画像がＬＥＤ１３を光源として撮影されたきめ用の画像であるか、ＬＥＤ１２を光源として撮影されたしみ用の画像であるかを区別して表示させる。
この表示が終了したら、スマートフォン１では撮影処理を終了するか、再撮影を行うか、撮影者が次のアプリケーション処理を選択するか、いずれかをユーザーは選択する。図１６のフローでは撮影者が次のアプリケーション処理を選択し（ＵＳ４）、次のアプリケーション処理へと移行する場合を記載している（ステップＳＳ１１）。
【０１２１】
本例によれば、点消灯検出手段３ａがＬＥＤ１２,１３の光の波長を検出することによって、当該ＬＥＤ１２,１３が点灯しているのを検出しているので、たまたま、外光の波長が、きめ用ＬＥＤ１３、しみ用ＬＥＤ１２の波長と一致した場合や、たまたま外光の明暗タイミングが、ＬＥＤ１２,１３の点灯、消灯タイミングと一致した場合の誤撮影を排除できるという利点がある。
【０１２２】
なお、前記第７例および第８例では、消灯時間の長さでＬＥＤを判別しているが、ＬＥＤの点灯時間を測定してＬＥＤの種類を判別するようにしてもよい。
また、前記第８例等では、きめ用ＬＥＤ波長を検出、しみ用ＬＥＤ検出というように、波長の検出という表現を用いて説明したが、実際の処理においては、波長そのものを測定するよりも、波長に応じて変わる色で判別するのが好ましい。
【０１２３】
（第２の実施の形態）
図１７は本発明の第２の実施の形態に係る携帯型撮影装置を示すブロック図である。本実施の形態に係る携帯型撮影装置が前記第１の実施の形態に係る携帯型撮影装置と異なる点は、スマートフォン１と肌レンズ（レンズモジュール）１０に、それぞれこれらの間でデータや信号の送受信を行える送受信手段を備えた点であるので、携帯型撮影装置の構成については、この点を詳しく説明し、第１の実施の形態と同一構成には同一符号を付してその説明を省略ないし簡略化する。
【０１２４】
肌レンズ（レンズモジュール）１０は、光源点灯指示信号および光源消灯指示信号をスマートフォン１から受信するとともに、当該スマートフォン１に光源点灯報知信号および光源消灯報知信号を送信する送受信手段２５を備えている。この送受信手段２５は、例えばブルーツースモジュール２５で構成され、このブルーツースモジュール２５はＣＰＵ１６によって制御される。
なお、光源点灯指示信号とは、前記ＬＥＤ１２,１３を点灯させるための信号であり、光源消灯指示信号とは、ＬＥＤ１２,１３を消灯させるための信号である。また、光源点灯報知信号とは、ＬＥＤ１２,１３が点灯したことを報知するための信号であり、光源消灯報知信号とは、ＬＥＤ１２,１３が消灯したことを報知するための信号である。
【０１２５】
また、ＣＰＵ（光源制御手段）１６は、スマートフォン１から送受信手段２５を介して光源点灯指示信号を受信した場合に、ＬＥＤ１２,１３を点灯させるとともに、送受信手段２５に光源点灯報知信号をスマートフォン１に向けて送信させ、また、スマートフォン１から送受信手段２５を介して光源消灯指示信号を受信した場合に、ＬＥＤ１２,１３を消灯させるとともに、送受信手段２５に光源消灯報知信号をスマートフォン１に向けて送信させるようになっている。
【０１２６】
また、スマートフォン１は、肌レンズ（レンズモジュール）１０の送受信手段２５からの光源点灯報知信号および光源消灯報知信号を受信するとともに、肌レンズ（レンズモジュール）１０に光源点灯指示信号および光源消灯指示信号を送信するスマートフォン送受信手段（端末側送受信手段）２６を備えている（以下、スマートフォン送受信手段２６を、送受信手段２６と称す）。この送受信手段２６は、例えばブルーツースモジュール２６で構成され、このブルーツースモジュール２６は制御手段３によって制御される。
また、制御手段３は、肌レンズ（レンズモジュール）１０から光源点灯報知信号を送受信手段２５および送受信手段２６を介して受信した場合に、カメラ２に撮影を行わせ、当該カメラ２による撮影が終了した場合に、光源消灯指示信号を送受信手段２６および送受信手段２５を介して肌レンズ（レンズモジュール）１０に向けて送信し、肌レンズ（レンズモジュール）１０から光源消灯報知信号を送受信手段２５および送受信手段２６を介して受信した場合に、光源点灯指示信号を送受信手段２６および送受信手段２５を介して肌レンズ（レンズモジュール）１０に向けて送信するようになっている。
さらに、表示制御手段３ｃは撮影制御手段３ｂによって撮影された撮影画像をＬＥＤ１２,１３と関連付けてスマートフォン１の画面に表示させるようになっている。
【０１２７】
次に、第２の実施の形態の携帯型撮影装置によって、人の顔の肌を撮影する方法の制御シーケンスの一例について図１８を参照して説明する。
まず、撮影者（ユーザ）は、スマートフォン１の電源をＯＮにした後、その画面で「簡易肌診断」というアプリを選択する（ステップＵＳ１）。
すると、スマートフォン１の撮影処理がスタートする（ステップＳＳ１）。スマートフォン１の画面には、「肌レンズの電源をＯＮにして、肌にセットしてください。準備ができたら撮影ボタンにタッチして下さい」とのメッセージが表示される（ステップＳＳ２）。
その後、撮影者は肌に携帯型撮影装置をセット（ステップＵＳ２）したうえで、スマートフォンの画面に表示される撮影ボタンをタッチする（ステップＵＳ３）。
また、肌レンズ１０では、電源スイッチをＯＮとすると（ステップＨＳ１）、当該肌レンズ１０が初期化処理され（ステップＨＳ２）、その後、ブルーツースモジュールによる送受信手段２５が受信待機状態となる（ステップＨＳ７０）。
肌レンズ１０の初期化処理中は、スマートフォン１の画面には「撮影を開始します。そのまま○秒間お待ちください」とのメッセージが表示される（ステップＳＳ３）。
【０１２８】
撮影者（ユーザ）がスマートフォン１の画面で撮影ボタンをタッチすると、スマートフォン１の制御手段３がきめ撮影用のＬＥＤ１３を点灯させるための点灯コマンド（光源点灯指示信号）を生成する（ステップＳＳ７０）。この点灯コマンドは信号として送受信手段２６から送信され、この信号が肌レンズ１０の送受信手段２５で受信される。そして、この点灯コマンドを受信することによって、きめ撮影用のＬＥＤ１３が点灯する（ステップＨＳ７１）。きめ撮影用のＬＥＤ１３が点灯すると、肌レンズ１０の送受信手段２５からＬＥＤ点灯報知信号（光源点灯報知信号）がスマートフォン１に向けて送信される。このＬＥＤ点灯報知信号をスマートフォン１が送受信手段２６を介して受信すると、制御手段３がカメラ２を撮影制御する（ステップＳＳ７１）。つまり、カメラ２のシャッターを切る。これによって、きめ用の撮影画像を得ることができる。
【０１２９】
カメラ２によってきめ用の撮影画像を得た後、スマートフォン１の制御手段３がきめ撮影用のＬＥＤ１３を消灯させるための消灯コマンド（光源消灯指示信号）を生成する（ステップＳＳ７２）。この消灯コマンドは信号として、送受信手段２６から送信され、この信号が肌レンズ１０の送受信手段２５で受信される。そして、この消灯コマンドを受信することによって、きめ撮影用のＬＥＤ１３が消灯する（ステップＨＳ７２）。
【０１３０】
きめ撮影用のＬＥＤ１３が消灯すると、肌レンズ１０の送受信手段２５からＬＥＤ消灯報知信号（光源消灯報知信号）がスマートフォン１に向けて送信される。このＬＥＤ消灯報知信号を受信することによって、制御手段３がしみ撮影用のＬＥＤ１２を点灯させるための点灯コマンド（光源点灯指示信号）を生成する（ステップＳＳ７３）。この点灯コマンドは信号として送受信手段２６から送信され、この信号が肌レンズ１０の送受信手段２５で受信される。そして、この点灯コマンドを受信することによって、しみ撮影用のＬＥＤ１２が点灯する（ステップＨＳ７３）。
ＬＥＤ１２が点灯すると、肌レンズ１０の送受信手段２５からＬＥＤ点灯報知信号（光源点灯報知信号）がスマートフォン１に向けて送信される。このＬＥＤ点灯報知信号をスマートフォン１が送受信手段２６を介して受信すると、制御手段３がカメラ２を撮影制御する（ステップＳＳ７４）。つまり、カメラ２のシャッターを切る。これによって、しみ用の撮影画像を得ることができる。
【０１３１】
次に、制御手段３がしみ撮影用のＬＥＤ１２を消灯させるための消灯コマンド（光源消灯指示信号）を生成する（ステップＳＳ７５）。この消灯コマンドは信号として送受信手段２６から送信され、この信号が肌レンズ１０の送受信手段２５で受信される。そして、この消灯コマンドを受信することによって、しみ撮影用のＬＥＤ１２が消灯する（ステップＨＳ７４）。
次に、肌レンズ１０では、ステップＨＳ７５で次のきめ用ＬＥＤ１３の点灯コマンドがスマートフォン１から送信されてくるかを判断し、当該点灯コマンドが送信されてきたならば、ステップＨＳ７１に戻って同様の処理を行う。一方、点灯コマンドが送信されてこなかった場合、電源ＯＦＦ（ステップＨＳ７６）として処理を終了する。
【０１３２】
一方、スマートフォン１では、表示制御手段３ｃが前記カメラ２で撮影されたきめ用としみ用の２種類の撮影画像を、ＬＥＤ１３,１２と関連付けてスマートフォン１の画面に表示させる（ステップＳＳ７６）。つまり、表示される撮影画像がＬＥＤ１３を光源として撮影されたきめ用の画像であるか、ＬＥＤ１２を光源として撮影されたしみ用の画像であるかを区別して表示させる。
ステップＳＳ７１でカメラ２によって撮影された画像は、きめ用の画像であり、ステップＳＳ７４でカメラ２によって撮影された画像は、しみ用の画像であるため、それぞれカメラ２で撮影された画像を、きめ用としてメモリ４に保存するとともに、しみ用としてメモリ４に保存する。したがって、メモリ４からそれぞれの画像を読み込むことによって、スマートフォン１の画面に、きめ用の撮影画像としみ用の撮影画像を表示できる。
この表示が終了したら、スマートフォン１では撮影処理を終了するか、あるいは撮影者が次のアプリケーション処理を選択する（ＵＳ４）と、次のアプリケーション処理へと移行する（ステップＳＳ１１）。
【０１３３】
本実施の形態によれば、肌レンズ１０の光源制御手段（ＣＰＵ）１６は、スマートフォン１から光源点灯指示信号を送受信手段２６,２５を介して受信した場合にＬＥＤ１２,１３をそれぞれ点灯させるとともに、送受信手段２５に光源点灯報知信号をスマートフォン１に向けて送信させるので、ＬＥＤ１２,１３の点灯をカメラ２による撮影に応じて適切なタイミングで行える。
また、光源制御手段１６は、光源消灯指示信号を送受信手段２６,２５受信した場合にＬＥＤ１２,１３を消灯させるとともに、送受信手段２５に光源消灯報知信号をスマートフォン１に向けて送信させるので、光源の消灯をカメラの撮影の終了に応じて適切なタイミングで行える。
【０１３４】
また、スマートフォン１の制御手段３が、肌レンズ１０からのＬＥＤ点灯報知信号（光源点灯報知信号）を送受信手段２５および送受信手段２６を介して受信した場合に、カメラ２による撮影制御を行う（撮影を行う）ので、確実にカメラ２で被写体たる肌を撮影できる。
さらに、カメラ２による撮影後は、ＬＥＤ消灯指示信号を肌レンズ１０に送受信手段２６,２５を介して送信するので、確実にＬＥＤ１２,１３を消灯でき、電池の消耗を防止できる。
また、表示制御手段３ｃによって、カメラ２で撮影された撮影画像をＬＥＤ１２,１３に関連付けてスマートフォン１の画面に表示させるので、ユーザは画面に表示された撮影画像がきめ用の撮影画像であるか、しみ用の撮影画像であるかを容易に確認できる。
【０１３５】
なお、前記第１および第２本実施の形態では、デジタルカメラを備えた携帯端末としてスマートフォン１を例にとって説明したが、本発明では、カメラを備えた携帯端末としては、スマートフォン１に限ることはない。例えば、デジタルカメラを備えた通常の携帯電話、デジタルカメラを備えたタブレット等でもよい。
また、第２の実施の形態では、スマートフォン１と肌レンズ（レンズモジュール）１０に、それぞれこれらの間でデータや信号の送受信を行える送受信手段として、無線通信の一つであるブルーツースモジュール２５,２６を採用したが、送受信手段は無線通信によるものに限らず、有線通信によるもの、例えばＵＳＢ接続によって行ってもよい。
【符号の説明】
【０１３６】
１    スマートフォン（携帯端末）
２    カメラ
３    制御部
３ａ  点消灯制御部
３ｂ  撮影制御手段
３ｃ  表示制御手段
１０  肌レンズ（レンズモジュール）
１２  しみ撮影用のＬＥＤ（光源）
１３  きめ撮影用のＬＥＤ（光源）
１６  ＣＰＵ（光源制御手段）
【図１】
2014103954.tif 000005
【図２】
2014103954.tif 000006
【図３】
2014103954.tif 000007
【図４】
2014103954.tif 000008
【図５】
2014103954.tif 000009
【図６】
2014103954.tif 000010
【図７Ａ】
2014103954.tif 000011
【図７Ｂ】
2014103954.tif 000012
【図８】
2014103954.tif 000013
【図９】
2014103954.tif 000014
【図１０】
2014103954.tif 000015
【図１１】
2014103954.tif 000016
【図１２】
2014103954.tif 000017
【図１３】
2014103954.tif 000018
【図１４】
2014103954.tif 000019
【図１５】
2014103954.tif 000020
【図１６】
2014103954.tif 000021
【図１７】
2014103954.tif 000022
【図１８】
2014103954.tif 000023
【手続補正書】
【提出日】平成27年7月14日(2015.7.14)
【手続補正１】
【補正対象書類名】特許請求の範囲
【補正対象項目名】全文
【補正方法】変更
【補正の内容】
【特許請求の範囲】
【請求項１】
カメラを備えた携帯端末と前記携帯端末に着脱可能に取り付けられるレンズモジュールからなる携帯型撮影装置において、
前記レンズモジュールは、
被写体に光を照射する波長が異なる複数種類の光源と、
前記光源からの光が前記被写体で反射した反射光を前記カメラに集光するコンバージョンレンズと、
前記複数種類の光源の点灯および消灯をそれぞれ制御する光源制御手段とを備え、
前記携帯端末は、
前記光源の点灯および消灯を検出する点消灯検出手段と、
この点消灯検出手段によって前記光源の点灯および消灯が検出された際に、前記カメラによる撮影を制御する撮影制御手段とを備えている、
ことを特徴とする携帯型撮影装置。
【請求項２】
前記撮影制御手段による制御によって前記カメラで撮影された撮影画像を前記光源の種類と関連付けて前記携帯端末の画面に表示させる表示制御手段とを備えていることを特徴とする請求項１に記載の携帯型撮影装置。
【請求項３】
前記表示制御手段は、前記カメラによって撮影された撮影画像を、当該撮影画像の波長成分によって光源と関連付けて前記携帯端末の画面に表示させることを特徴とする請求項２に記載の携帯型撮影装置。
【請求項４】
前記レンズモジュールの前記光源制御手段は、複数種類の前記光源を順次所定時間点灯させるとともに、複数種類の全ての光源の点灯後、全光源を所定時間消灯させる制御を繰り返し行い、
前記点消灯検出手段が全光源の消灯を検出した後、最初の前記光源の点灯を検出した場合に、前記撮影制御手段が前記カメラを撮影制御し、
その後は、前記撮影制御手段が、前記複数種類の光源の点灯に同期するように、所定時間間隔で前記カメラを撮影制御することを特徴とする請求項２に記載の携帯型撮影装置。
【請求項５】
前記レンズモジュールの前記光源制御手段は、複数種類の前記光源の点灯と消灯を所定時間ごとに順次繰り返して行う制御を行い、
前記点消灯検出手段は、前記各光源による光の波長を検出することによって、どの光源が点灯しているかを検出し、
前記点消灯検出手段が、前記各光源の点灯をそれぞれ検出した場合に、前記撮影制御手段が前記カメラを撮影制御することを特徴とする請求項２に記載の携帯型撮影装置。
【請求項６】
前記レンズモジュールの前記光源制御手段は、複数種類の前記光源を順次所定時間点灯させるとともに、複数種類の全ての光源の点灯後、全光源を所定時間消灯させる制御を繰り返し行い、
前記点消灯検出手段が全光源の消灯を検出した後、最初の前記光源の点灯が波長によってどの光源の点灯であるかを検出した場合に、前記撮影制御手段が前記カメラを撮影制御し、
次に、前記点消灯検出手段が全光源の消灯を検出した後、次の前記光源の点灯が波長によってどの光源の点灯であるかを検出した場合に、前記撮影制御手段が前記カメラを撮影制御する工程を順次繰り返して行うことを特徴とする請求項２に記載の携帯型撮影装置。
【請求項７】
カメラを備えた携帯端末に着脱可能に取り付けられるレンズモジュールであって、
被写体に光を照射する波長が異なる第１の光源と第２の光源と、
前記第１の光源あるいは前記第２の光源からの光が前記被写体で反射した反射光を前記カメラに集光するコンバージョンレンズと、
前記第１の光源および前記第２の光源の点灯および消灯をそれぞれ制御する光源制御手段と、を備えたレンズモジュールにおいて、
前記光源制御手段による光源制御状態には、
前記第１の光源が点灯している第１の状態と、
前記第１の光源が点灯している第２の状態と、
前記第１の光源および前記第２の光源を消灯している第３の状態とを少なくとも有し、
前記光源制御手段は、前記第１の状態と前記第２の状態と前記第３の状態とを予め定められた順序で実行制御することを特徴とするレンズモジュール。
【請求項８】
複数の照明用光源を備えたレンズモジュールを着脱可能に取り付け可能な、カメラを備えた携帯端末において、
前記光源の点灯および消灯を検出する点消灯検出手段と、
この点消灯検出手段によって前記光源の点灯および消灯が検出された際に、前記カメラによる撮影を制御する撮影制御手段と、
この撮影制御手段による制御によって前記カメラで撮影された撮影画像を前記光源の種類と関連付けて前記携帯端末の画面に表示させる表示制御手段とを備えている、
ことを特徴とする携帯端末。
【国際調査報告】
2014103954.tif 000024
2014103954.tif 000025